(57)【特許請求の範囲】
【請求項１】
部屋の床と前記部屋の天井に固定された天井レールとの間に固定される可動型取り外し可能壁パネルシステムの壁パネルであって、
左側、右側、表面および裏面を有するパネルであって、前記左側及び右側はフレームレスであり、前記パネルの前記上端に向けて上端部を、前記下端に向けて下端部を画成するパネルと、
前記パネルの前記表面および裏面に、前記パネルの前記上端部にて固定された上方クランプアセンブリと、
前記パネルの前記上端に沿って、前記パネルの右側および左側の間を長手方向に延伸する天井軌道であって、前記上方クランプアセンブリに固定され、前記天井レール中に取り外し可能に挿入されるように構成された天井軌道と、
下方クランプアセンブリであって、前記下方クランプアセンブリが前記パネルの重量を支持するために構成されるように、前記パネルの前記表面および裏面に前記パネルの前記下端部にて固定された下方クランプアセンブリと、
前記下方クランプアセンブリに固定され、前記パネルの垂直位置を選択的に修正するように構成された第１高さ調整機構と、
前記第１高さ調整機構から独立して前記パネルの垂直位置を選択的に修正するように構成された第２高さ調整機構と、
前記第１および第２高さ調整機構を収容し、前記パネルの下端に沿って、前記パネルの右側および左側の間を長手方向に延伸する下端床チャネルであって、床に配置されて前記第１および第２高さ調整機構を支持するように構成された下端床チャネルと、
前記下端床チャネルに取り付けるように構成された電気コンセントアセンブリであって、前記下端床チャネルに固定された下端カバーを含み、第１コンセント、前記第１コンセントに固定された第１取り付けブラケットおよび電源に接続するように構成されたコンジット供給アセンブリを収納する電気コンセントアセンブリと
を備え、前記下端カバーが前記第１取り付けブラケットを収容する第１スロットを含む、壁パネル。
【請求項２】
部屋の床と前記部屋の天井に固定された天井レールとの間に固定される可動型取り外し可能壁パネルシステムの壁パネルであって、
左側、右側、表面および裏面を有するパネルであって、前記左側及び右側はフレームレスであり、前記パネルの前記上端に向けて上端部を、前記下端に向けて下端部を画成するパネルと、
前記パネルの前記表面および裏面に、前記パネルの前記上端部にて固定された上方クランプアセンブリと、
前記パネルの前記上端に沿って、前記パネルの右側および左側の間を長手方向に延伸する天井軌道であって、前記上方クランプアセンブリに固定され、前記天井レール中に取り外し可能に挿入されるように構成された天井軌道と、
下方クランプアセンブリであって、前記下方クランプアセンブリが前記パネルの重量を支持するために構成されるように、前記パネルの前記表面および裏面に前記パネルの前記下端部にて固定された下方クランプアセンブリと、
前記下方クランプアセンブリに固定され、前記パネルの垂直位置を選択的に修正するように構成された第１高さ調整機構と、
前記第１高さ調整機構から独立して前記パネルの垂直位置を選択的に修正するように構成された第２高さ調整機構と、
前記第１および第２高さ調整機構を収容し、前記パネルの下端に沿って、前記パネルの右側および左側の間を長手方向に延伸する下端床チャネルであって、床に配置されて前記第１および第２高さ調整機構を支持するように構成された下端床チャネルと、
前記下端床チャネルに取り付けるように構成された電気コンセントアセンブリであって、前記下端床チャネルに固定された下端カバーを含み、第１コンセント、前記第１コンセントに固定された第１取り付けブラケット、第２取り付けブラケット、および電源に接続するように構成されたコンジット供給アセンブリを収納する電気コンセントアセンブリとを備え、
前記下端カバーが前記第２取り付けブラケットを収容する第２スロットを含む、壁パネル。
【請求項３】
前記下端カバーが前記第１取り付けブラケットを収容する第１スロットを含む、請求項２に記載の壁パネル。
【請求項４】
第２コンセント、ならびに前記第１コンセントおよび前記第２コンセントを電気接続する電気相互接続部をさらに備える、請求項１から３のいずれか一項に記載の壁パネル。
【請求項５】
前記下端カバーが前記第１コンセントを露出させる第１開口部および前記第２コンセントを露出させる第２開口部を含む、請求項４に記載の壁パネル。
【請求項６】
前記パネルに固定されたタイルシステムをさらに備える、請求項１から５のいずれか一項に記載の壁パネル。
【請求項７】
前記タイルシステムが複数のタイルを備える、請求項６に記載の壁パネル。
【請求項８】
前記複数のタイルが布を備える、請求項７に記載の壁パネル。
【請求項９】
前記複数のタイルがベニヤまたは積層体を備える、請求項７または８に記載の壁パネル。
【請求項１０】
前記複数のタイルがガラスを備える、請求項７から９のいずれか一項に記載の壁パネル。
【請求項１１】
前記タイルシステムに固定された付属品をさらに備える、請求項６から１０のいずれか一項に記載の壁パネル。
【請求項１２】
前記付属品が棚を備える、請求項１１に記載の壁パネル。
【請求項１３】
前記付属品がテーブル延長部を備える、請求項１１または１２に記載の壁パネル。
【発明の詳細な説明】
【技術分野】
【０００１】
本発明は、壁パネルシステムに関する。より詳細には、本発明は、突き合せガラス壁パネル用の可動型非順次（ｎｏｎ−ｐｒｏｇｒｅｓｓｉｖｅ）取り付け・取り外し可能壁パネルシステムに関する。
【背景技術】
【０００２】
固定壁システム、可動型壁システムおよび非順次壁システムは、当分野で非常によく知られている。
固定壁システムに関連するいくつかの問題は、固定壁システムをいったん設置すると転置および／または移動できないこと；固定壁システムの設置後に貫通構成要素（配線など）をただちに設置できないこと；ならびに固定壁システムをいったん設置するとその外観および装備をただちに変更できないことである。さらに固定壁システムは、その設置がかなり長くかかることも不利である。たとえば従来のジプロック（ｇｙｐｒｏｃ）壁では、最初に支持スタッドを設置し、次にその上にジプロックパネルを取り付け、その上にプラスタを塗り、プラスタが乾燥するのを待ち、続いてサンディングして、次いでジプロック壁の表面を仕上げる必要がある。当分野では、このような固定壁システムの取り付けは通常、数日に及び、多大な手作業が必要となり、このため非常に非効率的で、非常にコスト効果が低いことが周知である。
【０００３】
可動型壁システムに関連する問題のいくつかは、非常に多くの場合、その構成要素がオーバースペックであり（たとえば重すぎる）、このような可動型壁システムの組み立てには異なる特殊な工具細工が必要であり、可動型壁システムは一般に、ただちに交換できない多様な異なる構成要素を備えるということである。上記の結果として、このような可動型壁システムの設置は、一般に非常に時間がかかり、煩雑である。さらに当分野において、このような可動型壁システムは、その設計のために、一般に防音、遮光および／または防振がきわめて不十分となることが周知である。
【０００４】
非順次壁システムに関連する問題のいくつかは、非順次壁システムの特定の構成要素を、特定の構成要素に動作可能に接続されている他の構成要素に影響を及ぼすことなく、独立して交換、移動および／または改変できないということである。実際、その設計のために、非順次壁システムは一般に、互いに複雑に接続された複数の構成要素を有し、そのため非順次壁システムの他の構成要素を妨害することなく、その１個の特定の構成要素を交換、移動および／または改変することはできなくなっている。
【０００５】
さらに、複数の従来の壁パネルシステムでは、そのある構成要素を床または天井に繋止（貫通、釘止め、ねじ止めなど）する必要があり、これは床および／または付随するカーペットへの穴、所有物の損傷などの実質的な欠点につながる。その上、いくつかの管轄区域においては、壁パネルシステムの構成要素が建物の基礎構造に永久に取り付けられている場合、これらは建物の所有者の所有物となり、このことはこのような壁パネルシステムの所有者および／または使用者にとって非常に望ましくない。大企業においては、異なる部署を定期的に再編成する必要があり、したがってオフィス空間が頻繁に改造されることとなり、これに関連した不都合があることも公知である。したがって、建物の基礎構造に永久に取り付けずに組み立て可能であり、不都合なまたは破壊をもたらすような影響を一切残すことなく、同じ建物内であるか、または１つの建物から別の建物へかにかかわらず、１つの場所から別の場所に容易に移動および取り外し可能である、プレハブ・モジュラー型壁パネル構築システムを有することは非常に有用となる。
【０００６】
出願人の知るところでは、５つの異なる壁パネルシステムおよび付属品について記載している以下の米国特許文書は以下の通りである：特許文献１、特許文献２、特許文献３、特許文献４、特許文献５、特許文献６、特許文献７、特許文献８、特許文献９、特許文献１０、特許文献１１、特許文献１２、特許文献１３、特許文献１４、特許文献１５、特許文献１６、特許文献１７、特許文献１８、特許文献１９、特許文献２０、特許文献２１、特許文献２２、特許文献２３、特許文献２４、特許文献２５、特許文献２６、特許文献２７、特許文献２８、特許文献２９、特許文献３０、特許文献３１、特許文献３２、特許文献３３、特許文献３４、特許文献３５、特許文献３６、特許文献３７、特許文献３８、特許文献３９、特許文献４０、特許文献４１、特許文献４２、特許文献４３、特許文献４４、特許文献４５、特許文献４６、特許文献４７、特許文献４８、特許文献４９、特許文献５０、特許文献５１、特許文献５２、特許文献５３、特許文献５４、特許文献５５、特許文献５６、特許文献５７、特許文献５８、特許文献５９、特許文献６０、特許文献６１、特許文献６２、特許文献６３、特許文献６４、特許文献６５、特許文献６６、特許文献６７、特許文献６８、特許文献６９、特許文献７０、特許文献７１、特許文献７２、特許文献７３、特許文献７４、特許文献７５、特許文献７６、特許文献７７、特許文献７８、特許文献７９、特許文献８０、特許文献８１、特許文献８２、特許文献８３、特許文献８４、特許文献８５、特許文献８６、特許文献８７、特許文献８８、特許文献８９、特許文献９０、特許文献９１、特許文献９２、特許文献９３、特許文献９４、特許文献９５、特許文献９６、特許文献９７、特許文献９８、特許文献９９、特許文献１００、特許文献１０１、特許文献１０２、特許文献１０３、特許文献１０４、特許文献１０５。
【０００７】
出願人のまた知るところでは、外国特許文書は以下の通りである：特許文献１０６、特許文献１０７、特許文献１０８、特許文献１０９。
フレーム付き壁パネル用の可動型取り外し可能壁パネルシステム、すなわち対向する上下の距離チャネル（ｄｉｓｔａｎｃｅ  ｃｈａｎｎｅｌ）および対向する側部縦柱を外部カバーと共に備え、本件出願人によって設計された実質的に長方形状の壁パネルは、２００４年２月１０日にＶＯＮ  ＨＯＹＮＩＮＧＥＮ  ＨＵＥＮＥらに付与された特許文献１１０に記載されたものである。より詳細には、この文献には、対向する上下の距離チャネル、対向する左右の縦柱、パネルカバー、天井レールおよび連接型床チャネルをそれぞれ有する複数のパネルを含む、可動型取り外し可能壁パネルシステムが記載されている。距離チャネルおよび縦柱は、パネルの長方形支持フレームを形成するために、接続スタッドによって互いに取り付けられている。連接型床チャネルは、左右の縦柱それぞれの収容チャネル内に取り付けられた左右の滑動アセンブリによって、長方形支持フレームの下端部に動作可能に接続されている。連接型床チャネルは、パネルの長方形支持フレームを地面に動作可能に固定するために使用する。各縦柱は、パネルの縦軸に対して実質的に平行の方向に沿って延伸する少なくとも１つの収容リップを有する。
【先行技術文献】
【特許文献】
【０００８】
【特許文献１】米国特許第２３８７３８９号明細書
【特許文献２】米国特許第２３９４４４３号明細書
【特許文献３】米国特許第２８２２８９８号明細書
【特許文献４】米国特許第３０４０８４７号明細書
【特許文献５】米国特許第３０４８８８２号明細書
【特許文献６】米国特許第３０５７００５号明細書
【特許文献７】米国特許第３０５７４４４号明細書
【特許文献８】米国特許第３１４１１８９号明細書
【特許文献９】米国特許第３１５９８６６号明細書
【特許文献１０】米国特許第３２２８１６０号明細書
【特許文献１１】米国特許第３２３４５８２号明細書
【特許文献１２】米国特許第３３０２３５３号明細書
【特許文献１３】米国特許第３３０５９８３号明細書
【特許文献１４】米国特許第３３５２０７８号明細書
【特許文献１５】米国特許第３３６３３８３号明細書
【特許文献１６】米国特許第３３８１４３６号明細書
【特許文献１７】米国特許第３４１１２５２号明細書
【特許文献１８】米国特許第３５６６５５９号明細書
【特許文献１９】米国特許第３５８５７６８号明細書
【特許文献２０】米国特許第３６７０３５７号明細書
【特許文献２１】米国特許第３６７５３８２号明細書
【特許文献２２】米国特許第３６９７０２８号明細書
【特許文献２３】米国特許第３７２２０２６号明細書
【特許文献２４】米国特許第３８０２４８０号明細書
【特許文献２５】米国特許第３８２９９３０号明細書
【特許文献２６】米国特許第３９２５９３３号明細書
【特許文献２７】米国特許第４０２７７１４号明細書
【特許文献２８】米国特許第４０３７３８０号明細書
【特許文献２９】米国特許第４０６７１６５号明細書
【特許文献３０】米国特許第４０８６７３４号明細書
【特許文献３１】米国特許第４１０３４６３号明細書
【特許文献３２】米国特許第４１０４８２９号明細書
【特許文献３３】米国特許第４１０９４２９号明細書
【特許文献３４】米国特許第４１６７０８４号明細書
【特許文献３５】米国特許第４２６３７６１号明細書
【特許文献３６】米国特許第４２７７９２０号明細書
【特許文献３７】米国特許第４２８２６３１号明細書
【特許文献３８】米国特許第４３９９６４４号明細書
【特許文献３９】米国特許第４４４９３３７号明細書
【特許文献４０】米国特許第４４５０６５８号明細書
【特許文献４１】米国特許第４５５５８８０号明細書
【特許文献４２】米国特許第４６２５４７６号明細書
【特許文献４３】米国特許第４６４００７２号明細書
【特許文献４４】米国特許第４７０３５９８号明細書
【特許文献４５】米国特許第４７５７６５７号明細書
【特許文献４６】米国特許第４８２５６１０号明細書
【特許文献４７】米国特許第４８７３７４１号明細書
【特許文献４８】米国特許第４９０７３８４号明細書
【特許文献４９】米国特許第４９１４８８０号明細書
【特許文献５０】米国特許第５０４２５５５号明細書
【特許文献５１】米国特許第５０５６５７７号明細書
【特許文献５２】米国特許第５１２５２０１号明細書
【特許文献５３】米国特許第５１５９７９３号明細書
【特許文献５４】米国特許第５１６１３３０号明細書
【特許文献５５】米国特許第５２０７０３７号明細書
【特許文献５６】米国特許第５２１２９１８号明細書
【特許文献５７】米国特許第５２２８２５４号明細書
【特許文献５８】米国特許第５２３７７８６号明細書
【特許文献５９】米国特許第５３７９５６０号明細書
【特許文献６０】米国特許第５３８１８４５号明細書
【特許文献６１】米国特許第５４３３０４６号明細書
【特許文献６２】米国特許第５４６７５５９号明細書
【特許文献６３】米国特許第５４９１９４３号明細書
【特許文献６４】米国特許第５５４２２１９号明細書
【特許文献６５】米国特許第５６０３１９２号明細書
【特許文献６６】米国特許第５６４４８７７号明細書
【特許文献６７】米国特許第５６４４８７８号明細書
【特許文献６８】米国特許第５７３５０８９号明細書
【特許文献６９】米国特許第５８４５３６３号明細書
【特許文献７０】米国特許第５８７５５９６号明細書
【特許文献７１】米国特許第５８８１９７９号明細書
【特許文献７２】米国特許第５９９６２９９号明細書
【特許文献７３】米国特許第６０４７５０８号明細書
【特許文献７４】米国特許第６０８８８７７号明細書
【特許文献７５】米国特許第６０９４８７２号明細書
【特許文献７６】米国特許第６１１２４８５号明細書
【特許文献７７】米国特許第６１１５９６８号明細書
【特許文献７８】米国特許第６１４１９２５号明細書
【特許文献７９】米国特許第６１６７９３７Ｂ１号明細書
【特許文献８０】米国特許第６１２２８７１号明細書
【特許文献８１】米国特許第６１７０２１３Ｂ１号明細書
【特許文献８２】米国特許第６１７６０５４Ｂ１号明細書
【特許文献８３】米国特許第６１８５７８４Ｂ１号明細書
【特許文献８４】米国特許第６２０９６１０Ｂ１号明細書
【特許文献８５】米国特許第６３２９５９１Ｂ２号明細書
【特許文献８６】米国特許第６３３６２４７Ｂ１号明細書
【特許文献８７】米国特許第６３４９５１６Ｂ１号明細書
【特許文献８８】米国特許第６４０５７８１Ｂ２号明細書
【特許文献８９】米国特許第６４９３９９５Ｂ２号明細書
【特許文献９０】米国特許第６５３０１８１Ｂ１号明細書
【特許文献９１】米国特許第６５７１５１９Ｂ１号明細書
【特許文献９２】米国特許第６８８９４７７Ｂ１号明細書
【特許文献９３】米国特許第７０２１００７Ｂ２号明細書
【特許文献９４】米国特許第７２９３３８９Ｂ２号明細書
【特許文献９５】米国特許第７５２００９３Ｂ２号明細書
【特許文献９６】米国特許第７６２４５４９Ｂ２号明細書
【特許文献９７】米国特許出願公開第２００２／００５３１６６Ａ１号明細書
【特許文献９８】米国特許出願公開第２００２／００８８１８８Ａ１号明細書
【特許文献９９】米国特許出願公開第２００２／０１５７３３５Ａ１号明細書
【特許文献１００】米国特許出願公開第２００３／００１４８５３Ａ１号明細書
【特許文献１０１】米国特許出願公開第２００４／０００３５５６Ａ１号明細書
【特許文献１０２】米国特許出願公開第２００５／００００１６４Ａ１号明細書
【特許文献１０３】米国特許出願公開第２００６／０２７７８５０Ａ１号明細書
【特許文献１０４】米国特許出願公開第２００７／００１７０６５Ａ１号明細書
【特許文献１０５】米国特許出願公開第２００８／０２０２０３０Ａ１号明細書
【特許文献１０６】カナダ国特許第２００２６７４号明細書
【特許文献１０７】仏国特許第１４５００１７号明細書
【特許文献１０８】仏国特許第１５２６６３７号明細書
【特許文献１０９】英国特許第２１７１１３５Ａ号明細書
【特許文献１１０】米国特許第６６８８０５６Ｂ２号明細書
【発明の概要】
【発明が解決しようとする課題】
【０００９】
当分野における複数の改善にもかかわらず、フレームレス突き合せガラス壁パネルを使用してオフィス空間を組み立てる場合、これらのオフィス空間は、未だに非常に古い従来の「現場組み立て」または「ノックダウン」手法を使用して構築される。すなわち一般に現場に行き、組み立てるオフィス空間の床および／または天井の寸法許容差を含む種々の測定を行い、次いで一般に、このような種々の特定の寸法許容差に適応または寸法許容差を補正するために種々の高さおよび幅の対応するガラスパネルを製造して、現場にてオフィス空間を非常に順次的な方式で組み立てる。種々の寸法の各固有のガラスパネルを割り付け場所に割り付け、その後、全体的に均一な壁パネルアセンブリを得ることを試みて前記ガラスパネルそれぞれの下に相応に挿入され、考えられる床および／または天井の寸法許容差の補正をする複数のシミー（ｓｈｉｍｍｉｅｓ）を使用して、前記種々のタイプのガラスパネルを１枚ずつ、手動方式で位置調整、高さおよび垂直変位を調整する。この手法は明らかに、非常に長時間かかるだけでなく、物流の観点からきわめて煩雑であると共に、非常に労働集約的であり、大企業において複数のオフィス空間を組み立てる必要がある場合にはあまり効率的ではない。
【００１０】
上記の特許のいずれも、「フレームレス」突き合せガラス壁パネルを非常に迅速に、容易に、便利で、適正で、体系化された費用効率のよい方式で組み立てるように設計され、これにより従来の壁パネルシステムの「現場組み立て」の対応する欠点を回避する、可動式非順次取り付けおよび取り外し可能壁パネルシステムを開示または提案すらしていないように思われる。
【００１１】
それゆえ上記に照らして、その設計および構成要素によって、上記の従来技術の問題のいくつかを克服または少なくとも最小化することができる改良システムが求められている。
【課題を解決するための手段】
【００１２】
いくつかの実施形態は、部屋の床と部屋の天井に固定された天井レールとの間に固定される可動型取り外し可能フレームレス壁パネルシステムの壁パネルに関する。壁パネルは、フレームレスパネル、上方クランプアセンブリ、天井レールに取り外し可能に挿入されるように構成された天井軌道、下方クランプアセンブリ、下方クランプアセンブリに固定された第１高さ調整機構、第２高さ調整機構ならびに第１高さおよび第２高さ調整機構を収容する下端床チャネルを含む。
【００１３】
いくつかの実施形態は、それぞれ一連の最上および最下寸法許容差を有する床と天井の間にほぼ直立方式で配置可能な複数の壁パネルを有するオフィス空間を画成するための可動型取り外し可能壁パネルシステムであって、各壁パネルが縦軸および横軸を有し：少なくとも１つのプレハブ・フレームレス・パネルであって、各パネルが上端エッジと下端エッジとの間に画成された所与の高さおよび左側エッジと右側エッジとの間に画成された所与の幅を有し、各パネルの上端に、天井に沿って延伸して、オフィス空間の範囲を定める対応する天井レール中に取り外し可能に挿入できるように構成された天井軌道が設けられている、プレハブ・フレームレス・パネル；
各対応するパネルに連結され、天井に沿って延伸する天井レールと対向して床に動作可能に配置するように構成された下端床チャネル；
各パネルに連結され、対応する下端床チャネルに挿入可能である一体型第１および第２電動型高さ調整アセンブリであって、各高さ調整アセンブリが各パネルの下端部を動作可能に支持するための支持エッジを備え、各高さ調整アセンブリは、調整可能に昇降させるために選択可能に動作することができ、これにより各パネルの垂直高さ調整およびその回転角調整が可能となる、高さ調整アセンブリ；ならびに
一対の下端床チャネルを取り外し可能に接続するための少なくとも１つの接続プレートであって、一対の近接するプレハブ・フレームレス・パネルの側部エッジがオフィス空間を画成するために相互に連動するように各コネクタおよび床チャネルが相互に関して位置決め、成形およびサイズ決定される接続プレート、を備える可動型取り外し可能壁パネルシステムに関する。
【００１４】
いくつかの実施形態は、「現場組み立て」アプローチを用いずに、不都合なまたは破壊をもたらすような影響を一切残すことなく、１つの場所から別の場所への移動および取り外しが可能である、プレハブ・モジュラー・フレームレス突き合せガラス壁パネル構成システムを提供する。
【００１５】
本発明の別の態様により、上述の壁パネルシステムおよび／またはその構成要素を使用する方法を提供する。
本発明の別の態様により、上述の壁パネルシステムおよび／またはその構成要素を設置する方法を提供する。
【００１６】
本発明の別の態様により、上述の壁パネルシステムおよび／またはその構成要素によって画成されたオフィス空間を提供する。本発明の別の態様により、上述のオフィス空間を組み立てるための対応する構成要素を有するキットを提供する。
【００１７】
本発明のまた別の態様により、上述のキットの構成要素を組み立てる方法も提供する。本発明のまた別の態様により、上述の壁パネルシステム、キットおよび／または対応する（複数の）方法を用いて事業を行う方法も提供する。
【００１８】
本発明の目的、利点および他の特徴は、添付図面を参照して、例示のみを目的として示されている、その好ましい実施形態の下記の非限定的な記載を読むとより明らかになるであろう。
【図面の簡単な説明】
【００１９】
【図１】本発明の好ましい実施形態による壁パネルシステムと組み立てたオフィス空間アセンブリの斜視図であり、オフィス空間アセンブリを突き合せガラス壁パネルおよび一対の対応する戸と共に示す。
【図２】本発明の好ましい実施形態による天井レールと連動する突き合せガラスフレームレス壁パネルの斜視図である。
【図３】図２の断面図である。
【図４】図３に示したものの上端部の拡大図である。
【図５】図３に示したものの下端部の拡大図である。
【図６】本発明の好ましい実施形態による１８０°角度接続部に沿って配置された一対のガラス突き合せ壁パネルのアセンブリの上端部分斜視図であり、各壁パネルの天井軌道がより良好に見えるように天井カバーなしでアセンブリを示す。
【図７】本発明の好ましい実施形態による１８０°角度接続部に沿って配置された一対のガラス突き合せ壁パネルのアセンブリの下端部分斜視図であり、本発明の好ましい実施形態による一対の下端チャネルの末端を相互接続する接続プレートと共に、各壁パネルの下端チャネルおよび高さ調整アセンブリがより良好に見えるように下端カバーなしでアセンブリを示す。
【図８】図７に示したものの所与の部分に沿って得た断面図である。
【図９】本発明の好ましい実施形態による９０°角度接続部に沿って配置された一対のガラス突き合せ壁パネルのアセンブリの下端部分斜視図であり、本発明の好ましい実施形態による一対の下端チャネルの末端を相互接続する接続プレートと共に、各壁パネルの下端チャネルおよび高さ調整アセンブリがより良好に見えるように下端カバーなしでアセンブリを示す。
【図１０】図９に示したものの所与の部分に沿って得た断面図である。
【図１１】本発明の好ましい実施形態による、三方継手に沿って配置された突き合せガラス壁パネルのアセンブリの上端部分斜視図であり、アセンブリを対応する天井カバーと共に示す。
【図１２】本発明の好ましい実施形態による、三方継手に沿って配置された突き合せガラス壁パネルのアセンブリの下端部分斜視図であり、アセンブリを対応する下端カバーと共に示す。
【図１３】図１２に示したものの所与の部分に沿って得た断面図である。
【図１４】本発明の好ましい実施形態による、三方継手に沿って配置された突き合せガラス壁パネルアセンブリの下端部分斜視図であり、アセンブリを対応する下端カバーと共に示す。
【図１５】本発明の好ましい実施形態による、三方継手に沿って配置された突き合せガラス壁パネルアセンブリの側面図であり、壁パネルアセンブリを上端および下端カバーと共に示す。
【図１６】図１５に示したものの下端部の拡大図である。
【図１７】本発明の好ましい実施形態による高さ調整アセンブリの斜視図である。
【図１８】図１７に示したものの側面図である。
【図１９】図１７に示したものの上面図である。
【図２０】図１７に示したものの正面図である。
【図２１】図１８に示したものの別の側面図であって、高さ調整アセンブリはここでは上昇した配置で示す。
【図２２】図２１に示したものの別の側面図であって、高さ調整アセンブリはここでは下降した配置で示す。
【図２３】本発明の好ましい実施形態による、一対の遠位ブッシュを備えた高さ調整ロッドの斜視図である。
【図２４】図２３に示した高さ調整ロッドの側面図である。
【図２５】図２４に示したものの正面平面図である。
【図２６】図２３に示したブッシュのうち１個の側面図である。
【図２７】図２６に示したものの背面図である。
【図２８】本発明の別の好ましい実施形態による高さ調整アセンブリの斜視図であって、高さ調整アセンブリを下降した配置で示す。
【図２９】図２８に示したものの別の斜視図であって、高さ調整アセンブリの内部構成要素がより良好に見えるように、ここではある部品を取り除いて高さ調整アセンブリを示す。
【図３０】図２８に示したものの側面図であって、高さ調整アセンブリはここでは上昇した配置で示す。
【図３１】図３０に示したものの断面図である。
【図３２】図３０に示したものの別の側面図であって、高さ調整アセンブリはここでは下降した配置で示す。
【図３３】図３２に示したものの断面図である。
【図３４】本発明のまた別の好ましい実施形態による高さ調整アセンブリの斜視図である。
【図３５】図３４に示したものの側面図である。
【図３６】図３４に示したものの別の側面図である。
【図３７】図３６に示した構成要素のいくつかの側面図である。
【図３８】図３７に示した構成要素のうちの１個の正面図である。
【図３９】図３８に示したものの上面図である。
【図４０】図３７に示した構成要素のうちの１個の斜視図である。
【図４１】本発明のまた別の好ましい実施形態による高さ調整アセンブリの斜視図であって、高さ調整アセンブリの内部構成要素がより良好に見えるようにある構成要素をそこから取り除いて高さ調整アセンブリを示す。
【図４２】図４１に示したものの部分の拡大図である。
【図４３】本発明の好ましい実施形態による、中心点周囲に４個の突起および１個の繋止用穴を備えた接続プレートの斜視図である。
【図４４】図４３に示したものの上面図である。
【図４５】図４３に示したものの側面図である。
【図４６】図４３に示したものの別の斜視図であって、接続プレートの突起がここで対応するナットを備え、接続プレートは本発明の好ましい実施形態による接続プレートの中心点から下方に延伸するねじ式繋止具をさらに備える。
【図４７】図４６に示したものの上面図である。
【図４８】図４６に示したものの側面図である。
【図４９】本発明の好ましい実施形態による突き合せガラス・ディストラクションマーカー（ｄｉｓｔｒａｃｔｉｏｎ  ｍａｒｋｅｒｓ）を備えた壁パネルアセンブリの側面図である。
【図５０】図４９に示したものの断面図である。
【図５１】図４９に示したものの部分の拡大図である。
【図５２】図５０に示したものの部分の拡大図である。
【図５３】本発明の好ましい実施形態による補完付属品アセンブリの斜視図である。
【図５４】図５３に示した構成要素の分解組立図である。
【図５５】図５３に示したものの側面図である。
【図５６】図５４に示したものの側面図である。
【図５７】本発明の好ましい実施形態による突き合せガラススナップ止め木製棚を備えた壁パネルアセンブリの側面図である。
【図５８】図５７に示したものの断面図である。
【図５９】図５８に示したものの部分の拡大図である。
【図６０】図５８に示したものの部分の拡大図である。
【図６１】本発明の別の好ましい実施形態による補完付属品アセンブリの斜視図である。
【図６２】図６１に示した構成要素の分解組立図である。
【図６３】図６１に示したものの側面図である。
【図６４】図６２に示したものの側面図である。
【図６５】本発明の好ましい実施形態によるフック止めプレートを備えたシェルの部分図である。
【図６６】図６５に示したフック止めプレートの斜視図である。
【図６７】図６６に示したものの正面平面図である。
【図６８】本発明の好ましい実施形態による突き合せガラススナップ止めガラスシェルを備えた壁パネルアセンブリの側面図である。
【図６９】図６８に示したものの断面図である。
【図７０】図６８に示したものの部分の拡大図である。
【図７１】図６９に示したものの部分の拡大図である。
【図７２】本発明のまた別の好ましい実施形態による補完付属品アセンブリの斜視図である。
【図７３】図７２に示した構成要素の分解組立図である。
【図７４】図７２に示したものの側面図である。
【図７５】図７３に示したものの側面図である。
【図７６】本発明の好ましい実施形態による、天井軌道に動作可能に取り付けられ、木製引戸を備えた引戸アセンブリの側面図である。
【図７７】図７６に示したものの断面図である。
【図７８】図７６に示したものの部分の拡大図である。
【図７９】本発明の好ましい実施形態による引戸取り付けブラケットの斜視図である。
【図８０】本発明の別の好ましい実施形態による対応する天井軌道および天井レールに動作可能に取り付けられた引戸アセンブリの部分上面図であって、引戸取り付けブラケットおよび木製戸を含む構成要素のいくつかを分解した関係で示す。
【図８１】本発明の好ましい実施形態による、対応する引戸取り付けブラケットとの分解した関係で示した引戸金具類の側面図である。
【図８２】図７８に示したものの所与の部分に沿って得た部分断面図である。
【図８３】図７６に示したものの斜視図である。
【図８４】図８３に示したものの部分の下端斜視図である。
【図８５】図８４に示した下端ガイドプラグの斜視図である。
【図８６】図８４に示したものの所与の部分に沿って得た断面図である。
【図８７】本発明の好ましい実施形態による、天井軌道および天井レールに動作可能に取り付けられ、ガラス引戸を備えた引戸アセンブリの側面図である。
【図８８】図８７に示したものの概略側面図である。
【図８９】図８８に示したものの所与の部分に沿って得た断面図である。
【図９０】本発明のまた別の好ましい実施形態による対応する天井軌道および天井レールに動作可能に取り付けられ、ガラス引戸を備えた引戸アセンブリの部分上端斜視図であって、構成要素のいくつかを他の構成要素に対して分解関係で、すなわち本発明の好ましい実施形態による対応するガラスクランプがより良好に見えるように示す。
【図９１】本発明の好ましい実施形態による、対応するガラスクランプに対して分解関係で示した引戸金具類の側面図である。
【図９２】図９１に示したものの最も右側の部分の上面図である。
【図９３】図９１に示したものの最も右側の部分の部分側面図である。
【図９４】図９０に示した上方ガラスクランプの斜視図であって、高さ調整ファスナを備えた上方ガラスクランプを示す。
【図９５】図９４に示したものの正面図である。
【図９６】図９４に示したものの側面図である。
【図９７】図９４に示したものの別の側面図である。
【図９８】本発明の好ましい実施形態によるガラス引戸アセンブリの部分下端斜視図であって、構成要素のいくつかを他の構成要素に対して分解関係で、本発明の好ましい実施形態による下端ガラスクランプがより良好に見えるように示す。
【図９９】図９８に示した下端ガラスクランプの斜視図である。
【図１００】図９９に示したものの正面図である。
【図１０１】図９９に示したものの側面図である。
【図１０２】本発明の好ましい実施形態による相互に組み付けた一対のガラス柱パネルの側面図である。
【図１０３】図１０２に示したものの上端部の拡大図である。
【図１０４】図１０２に示したものの下端部の拡大図である。
【図１０５】本発明の好ましい実施形態による相互に組み付けた一対のガラス柱パネルの底面図である。
【図１０６】図１０５に示したものの所与の部分に沿って得た断面図である。
【図１０７】本発明の好ましい実施形態による三方ガラス柱パネルアセンブリの部分上端図である。
【図１０８】本発明の好ましい実施形態による三方ガラス柱パネルアセンブリの部分下端図である。
【図１０９】本発明の好ましい実施形態による三方ガラス柱パネルアセンブリの側面図である。
【図１１０】図１０９に示したものの下端部の拡大図である。
【図１１１】本発明の好ましい実施形態によるガラス柱パネル三方アセンブリの断面図である。
【図１１２】図１１１に示したものの部分の拡大図である。
【図１１３】本発明の好ましい実施形態による、相互に組み立てられた中実パネルおよびガラス柱パネルを含む壁パネルアセンブリの斜視図である。
【図１１４】図１１３に示したものの上端部の拡大図である。
【図１１５】図１１３に示したものの下端部の拡大図である。
【図１１６】図１１３に示したものの側面図である。
【図１１７】図１１６に示したものの下端部の拡大図である。
【図１１８】本発明の好ましい実施形態による戸柱を含む壁パネルアセンブリの斜視図である。
【図１１９】図１１８に示したものの側面図である。
【図１２０】本発明の好ましい実施形態による、相互に組み立てられた２枚の中実パネルを備えた壁パネルアセンブリの側面図である。
【図１２１】図１２０に示したものの下端部の拡大図であって、アセンブリの内部構成要素がより良好に見えるように中実パネルのうち１枚の外部シェルを取り除いている。
【図１２２】本発明の好ましい実施形態による柱接続クリップの斜視図である。
【図１２３】図１２２に示したものの側面図である。
【図１２４】図１２２に示したものの上面図である。
【図１２５】本発明の好ましい実施形態による中実パネル金属フレームの側面図であって、中実パネル金属フレームを調整式下端カバーと共に示す。
【図１２６】図１２５に示したものの側面図である。
【図１２７】本発明の好ましい実施形態による、中実パネル金属フレームの縦柱との分解関係で示した中間距離チャネルの斜視図である。
【図１２８】図１２７に示したものの組み立て配置の断面図である。
【図１２９】本発明の好ましい実施形態による中実パネルの側面図である。
【図１３０】本発明の好ましい実施形態による中実壁パネルの構成要素のいくつかの部分拡大図であって、構成要素のいくつかを分解関係で示す。
【図１３１】本発明の好ましい実施形態による中実壁パネルの部分の断面図である。
【図１３２】図１３１に示したものの斜視図である。
【図１３３】本発明の好ましい実施形態による中実パネル金属シェルフック止めアセンブリの斜視図である。
【図１３４】図１３３に示したものの断面図である。
【図１３５】本発明の好ましい実施形態による中実パネルＭＤＦ／積み重ね可能ガラスポールパネルアセンブリの断面図である。
【図１３６】本発明の別の好ましい実施形態による中実パネルＭＤＦ／積み重ね可能ガラスポールパネルアセンブリの断面図である。
【図１３７】本発明の好ましい実施形態によるフック止めチャネルを備えた壁パネルの部分斜視図である。
【図１３８】図１３７に示したものの分解組立図である。
【図１３９】本発明の好ましい実施形態による、壁パネルの水平フック止めチャネルと連動しているフック止めブラケットの概略図である。
【図１４０】一対のフック止めブラケットを備えた壁パネルの部分図であって、前記フック止めブラケットのうち一方を水平フック止めチャネル内におけるフック止め配置で示し、他方のフック止めブラケットは中間配置にある。
【図１４１】本発明の好ましい実施形態による、クリアストーリー（ｃｌｅａｒ  ｓｔｏｒｙ）配置に沿って配置された壁パネルアセンブリの側面図である。
【図１４２】図１４１に示したものの上端部の拡大断面図である。
【図１４３】図１４１に示したものの下端部の拡大図である。
【図１４４】本発明の好ましい実施形態によるドロップダウンカバーを備えたフレーム付きガラスパネルの一部省略斜視図である。
【図１４５】図１４４に示したものの下端斜視図であって、フレーム付きガラスパネルはここでは下端カバーを取り除いている。
【図１４６】本発明の好ましい実施形態によるばね留めドロップダウンカバーを備えたフレーム付き壁パネルの側面図である。
【図１４７】本発明の別の好ましい実施形態によるばね留めドロップダウンカバーを備えたフレーム付き壁パネルの断面図である。
【図１４８】本発明の好ましい実施形態による、設置中の突き合せガラスフレームレス壁パネルシステムを示す斜視図である。
【図１４９】本発明の好ましい実施形態による、設置中の突き合せガラスフレームレス壁パネルシステムを示す斜視図である。
【図１５０】本発明の別の好ましい実施形態による事前組み立てフレームレス壁パネルの分解組立図である。
【図１５１】図１５０の事前組み立て壁パネルの上方クランプアセンブリの斜視図である。
【図１５２】図１５０の事前組み立て壁パネルの高さ調整アセンブリの斜視図である。
【図１５３】本発明の好ましい実施形態による戸フレームの斜視図である。
【図１５４】図１５３の範囲１５４−１５４の拡大図である。
【図１５５】図１４９の拡大範囲の上面図である。
【図１５６】本発明の好ましい実施形態による隣接するフレームレス突き合せガラス壁パネルの上端部を示す拡大図である。
【図１５７】図１５６の線１５７−１５７に沿って得た断面図である。
【図１５８】本発明の好ましい実施形態による図１５７の上方相互接続部の正面図である。
【図１５９】本発明の好ましい実施形態による図１５８の上方相互接続部の側面図である。
【図１６０】本発明の好ましい実施形態による隣接するフレームレス突き合せガラス壁パネルの下方部を示す拡大図である。
【図１６１】本発明の好ましい実施形態による図１６０の下方相互接続部の上面図である。
【図１６２】本発明の好ましい実施形態による図１６１の下方相互接続部の側面図である。
【図１６３】本発明の好ましい実施形態による高さ調整アセンブリを示す。
【図１６４】本発明の好ましい実施形態による高さ調整アセンブリを示す。
【図１６５】本発明の好ましい実施形態による高さ調整アセンブリを示す。
【図１６６】本発明の好ましい実施形態による高さ調整アセンブリを示す。
【図１６７】本発明の好ましい実施形態による高さ調整アセンブリを示す。
【図１６８】本発明の好ましい実施形態によるフレームレス壁パネルシステムを示す。
【図１６９】図１６８の壁パネルシステムと共に使用可能なレール・タイル・システムを示す。
【図１７０】図１６８の壁パネルシステムと共に使用可能なレール・タイル・システムを示す。
【図１７１】図１６８の壁パネルシステムと共に使用可能なレール・タイル・システムを示す。
【図１７２】図１６８の壁パネルシステムの背面図を示す。
【図１７３】図１６８の線１７３−１７３に沿った断面図である。
【図１７４】図１７２の部分の拡大図である。
【図１７５】図１７２の部分の拡大図である。
【図１７６】本発明の好ましい実施形態による図１６８の壁パネルシステムのコンセントアセンブリの構成要素を示す。
【図１７７】本発明の好ましい実施形態による図１６８の壁パネルシステムのコンセントアセンブリの構成要素を示す。
【発明を実施するための形態】
【００２０】
以下の説明において、同一の参照番号は同じ要素を示す。図面に示した、または本説明に記載する実施形態、形状配置、言及した材料および／または寸法は、単なる好ましい実施形態であり、例示を目的として示したに過ぎない。
【００２１】
さらに以下で例示するような本発明は、オフィス空間などを画成するために、作業環境にて企図される壁システムのために主に設計されたが、当業者に明らかであるように、他の対象によって他の目的のために使用することができる。この理由のために、「作業」、「オフィス」、「空間」、「パネル」などの表現ならびにその他の言及および／またはそれと同等の他の表現は、本発明の範囲を制限するとして解釈されるべきではなく、本発明が使用可能であり、有用であり得る、他のすべての対象および他のすべての用途を含むべきである。
【００２２】
その上、本発明の状況では、「システム」、「キット」、「セット」、「アセンブリ」、「製品」および「装置」という表現、ならびに当分野で公知の他のいずれの同等の表現および／またはその複合語も、当業者に明らかであるように互換的に使用される。このことは、他のいずれの相互に同等な表現、たとえば：ａ）「取り付ける」、「組み立てる」、「画成する」、「構築する」、「立てる」など；ｂ）「壁」、「パネル」など；ｃ）「オフィス」、「作業空間」、「環境」、「構造」、「エンクロージャ」など；ｄ）「回転すること」、「駆動すること」、「変位させること」、「移動すること」、「支持すること」、「搬送すること」など；ｅ）「互換可能な」、「モジュラー式」、「順次的な」など；ｆ）「可能にする」、「させる」、「許可する」など；ｇ）「締め付けること」、「固定すること」、「貼付すること」、「繋止すること」、「調整すること」、「位置決めすること」など；ｈ）「孔」、「穴」、「スロット」、「スリット」、「溝」、「空洞」など；ｉ）「回転すること」、「枢動すること」、「回ること」、「転がすこと」など；ｊ）「天井」、「上方」、「上端」など；ｋ）「床」、「下方」、「下端」など；ｋ）「ガラス」、「積層体」、「パネル」、「石膏」、「ボード」など；ｌ）「位置決めすること」、「隔設すること」、「位置すること」、「配列すること」、「配置すること」など；ｍ）「隣接する」、「近接する」、「連続した」など；ｎ）「構成要素」、「部品」、「要素」など；にも、ならびに上記の表現および／または本発明の他のいずれの構成および／または機能態様に関する他のいずれの相互に同等の表現にも、また当業者に明らかであるように、当てはまる。
【００２３】
さらに本説明の文脈において、本発明が、結果としての完全に組み立てられたオフィス空間を組み立てるための、対応する構成要素を備えたキットにも関するという点で、「接続された」および「接続可能な」または「取り付けられた」および「取り付け可能な」などの表現が互換的であってよいと考えられる。
【００２４】
その上、本説明の文脈において、当業者によって容易に理解できるような、通例、実質的に長方形形態より成り、フレーム付き壁パネルの「フレームを」作っている、対向する上端および下端距離チャネルならびに対向する左および右縦柱を備えた「フレーム付き」壁パネルと、このような距離チャネルおよび縦柱のない壁パネル（たとえばその周囲にフレームを有さないガラスパネルそのものなど）である「フレームレス」壁パネルを区別することも重要である。
【００２５】
加えて、添付図面に図解するような本発明の好ましい実施形態は多様な構成要素を備えてよく、図示するような壁パネルシステムの好ましい実施形態は、本明細書で説明および図解するような形状配置より成るが、これらの構成要素および形状すべてが本発明に不可欠というわけではなく、ゆえにその限定的な意味で解釈されるべきではない、すなわち本発明の範囲を限定するとして解釈されるべきではない。本発明の範囲から逸脱することなく、以下で簡単に説明されるように、および当業者がこれから容易に推測できるように、また当業者に明らかであるように、他の好適な構成要素およびその間での連動ならびに他の好適な形状配置を本発明の壁パネルシステムおよび対応する構成要素に使用してよいことが理解されるべきである。
【００２６】
本壁パネルシステムは、その設計および構成要素のために、フレームレス壁パネル、たとえば突き合せガラス壁パネルを、たとえば非常に迅速で容易で体系的な方式で取り付けるために特に良好に適していて、従来の壁パネルシステムでは不可能なものである、可動型非順次取り付け取り外し可能壁パネルシステムである。
【００２７】
実際に、本発明は革新的な次世代の壁パネルシステムであり、他の壁パネルシステム、たとえば本件の出願人が設計し、その内容が参照により本明細書に組み入れられている、ＶＯＮ  ＨＯＹＮＩＮＧＥＮ  ＨＵＥＮＥらに２００４年２月１０日に権利付与された米国特許第６６８８０５６Ｂ２号に記載された壁パネルシステムを超える相当な改良である。
【００２８】
概して、本発明の好ましい実施形態による壁パネルシステム（３０１）は、添付図面に図解されているように、それぞれ一連の最上および最下寸法許容差を有する床（３０７）と天井（３０９）の間にほぼ直立方式で配置可能な複数の壁パネル（３０５）を有するオフィス空間（３０３）を画成するための可動型取り外し可能壁パネルシステム（３０１）であって、各壁パネル（３０５）が縦軸および横軸を有し：
少なくとも１つのプレハブ・フレームレス・パネル（３１５）であって、各パネル（３１５）が上端エッジおよび下端エッジ（３１９、３２１）の間に画成された所与の高さ（３１７）および左側エッジおよび右側エッジ（３２５ａ、３２５ｂ）の間に画成された所与の幅（３２３）、各パネル（３０５）の上端エッジ（３１９）に固定されて、天井（３０９）に沿って延伸して、オフィス空間（３０３）の範囲を定める対応する天井レール（３２９）に取り外し可能に挿入できるように構成された天井軌道（３２７）が上端（３１０）に設けられるようになっている、一対の上端クランプアセンブリ（３２６）を有する、プレハブ・フレームレス・パネル（３１５）；
各対応するパネル（３１５）に対応付けられ、天井（３０９）に沿って延伸する天井レール（３２９）に対向して床（３０７）に動作可能に配置するように構成された下端床チャネル（３３１）；
各パネル（３１５）に対応付けられ、対応する下端床チャネル（３３１）に挿入可能である一体型第１および第２電動型高さ調整アセンブリ（３３３）であって、各高さ調整アセンブリ（３３３）が各パネル（３１５）の下端部を動作可能に支持するための支持エッジ（３３５）を備え、各高さ調整アセンブリ（３３３）は、調整可能に昇降させるために選択可能に動作することができ、これにより各パネル（３１５）の垂直高さ調整およびその回転各調整が、たとえば図１８に示すような枢軸（４５９）によって可能となる、高さ調整アセンブリ；ならびに
一対の下端床チャネル（３３１）を取り外し可能に接続するための少なくとも１つの接続プレート（３３７）であって、一対の近接するプレハブ・フレームレス・パネル（３１５）の側部エッジ（３２５）がオフィス空間（３０３）を画成するために相互に連動するように各接続プレート（３３７）および下端床チャネル（３３１）が相互に関して位置決め、成形およびサイズ決定される、接続プレート、
を備える可動型取り外し可能壁パネルシステムである。結果としてのオフィス空間（３０３）の例を図１に示す。
【００２９】
本発明の第１の好ましい実施形態により、図２〜２７により良好に示されているように、各高さ調整アセンブリ（３３３）は、ハサミ型高さ調整機構であって：ａ）基部（３３９）；ｂ）基部（３３９）から突出する、対向した第１および第２エンドキャップ（４４１、４４３）；ｃ）エンドキャップ（４４１、４４３）の周囲に回転可能に取り付けられた高さ調整ロッド（４４５）であって、相互に対向してねじ止めされた第１および第２ねじ式セグメント（４４７、４４９）をそれぞれ有する高さ調整ロッド（４４５）；ならびにｄ）第１および第２調整脚（４５１、４５３）であって、第１調整脚（４５１）が高さ調整ロッド（４４５）の第１ねじ式セグメント（４４７）にねじで係合されたランナ構成要素（４５５）に枢動可能に取り付けた第１末端（４５２ａ）および支持エッジ（３３５）に枢動可能に取り付けた第２末端（４５２）を有し、第２調整脚（４５３）が高さ調整ロッド（４４５）の第２ねじ式セグメント（４４９）にねじで係合されたランナ構成要素（４５７）に枢動可能に取り付けた第１末端（４５２ａ）および支持エッジ（３３５）に枢動可能に取り付けた第２末端（４５２）を有する、第１および第２調整脚を備えていてよく、第１方向に沿った共通高さ調整ロッド（４４５）の回転によって支持エッジ（３３５）の上昇が起こり、第２の反対の方向に沿った前記共通高さ調整ロッド（４４５）の回転によって支持エッジ（３３５）の下降が起こるようにされた、ハサミ型高さ調整機構を備えてよい。
【００３０】
好ましくは、第１および第２調整脚（４５１、４５３）の第２末端４５２は、図１７、１８、２１および２２により良好に示されているように、共通枢軸（４５９）の周囲にて支持エッジ（３３５）の下端部に枢動可能に取り付けられている。
【００３１】
好ましくは、また調整脚（４５１、４５３）は、図１７、１８および２２を参照すると容易に理解できるように、調整脚（４５１、４５３）を引き込んで下降した配置とするときに、高さ調整ロッド（４４５）を避けるための凹部（４５１ａ、４５３ａ）を備える。
【００３２】
高さ調整ロッド（４４５）は、非常に多くの方法で、しかし本発明の好ましい実施形態によって製造することができ、図２２〜２５を参照すると容易に理解できるように、高さ調整ロッドは第１および第２ねじ式セグメント（４４７、４４９）がそれぞれ設けられた第１および第２セパレートロッド構成要素を備え、第１ロッド構成要素は、第２ロッド構成要素の対応する末端のメス構成要素に確実に挿入可能であるオス構成要素を有する末端を備える。
【００３３】
図１７〜２７を参照すると、第１および第２エンドキャップ（４４１、４４３）にそれぞれ設けられた第１および第２ブッシング（４６１、４６３）の周囲に高さ調整ロッド（４４５）を回転可能に取り付けられる方法が示されているが、他の好適な取り付け方法も本発明に従って使用してよい。図２０は、たとえば第１ブッシング（４６１）の図解を示し、一方、図１７は第２ブッシング４６１の図解を示す。
【００３４】
好ましい実施形態により、図１７および２０から容易に理解できるように、各エンドキャップ（４４１、４４３）は、高さ調整アセンブリ（３３３）の基部（３３９）に固定されている第２エンドキャップ構成要素（４４１ｂ、４４３ｂ）に少なくとも１つの対応するファスナ（４６５）を介して取り外し可能に接続できる第１エンドキャップ構成要素（４４１ａ、４４３ａ）を備える。
【００３５】
また図２０に示すように、高さ調整ロッド（４４５）の少なくとも１つの遠位末端に駆動ツールの対応するインサートを収容するためのソケット（４６７）が設けられているが、高さ調整ロッド（４４５）の両末端に駆動ツールの対応するインサートを収容するためのソケット（４６７）を設けて、すなわち高さ調整アセンブリ（３３３）をその両側から操作可能にするのが好ましい。
【００３６】
好ましくは、図３〜２２から容易に理解できるように、各高さ調整アセンブリ（３３３）の各ソケット（４６７）、高さ調整ロッド（４４５）および支持エッジ（３３５）は、対応する壁パネル（３０５、３１５）の下の実質的に同じ垂直面に存在する。
【００３７】
本発明の別の好ましい態様により、たとえばまた図１７および１９に示すように、各高さ調整アセンブリ（３３３）は、対応する壁パネル（３１５）の下端部をクランプ締めするための下方クランプアセンブリ（４７２）を画成する、対向する第１および第２クランプ（４６９、４７１）を備える。好ましくは、図６、７および１７を参照すると容易に理解できるように、第１および第２クランプ（４６９、４７１）の内面の位置（４７３）にガスケットが設けられている。
【００３８】
図１７〜２２により良好に示すように、各高さ調整アセンブリ（３３３）は、第１および第２クランプ（４６９、４７１）の間に延伸する少なくとも１つのコネクタ（４７５）を備える。好ましくは、各コネクタ（４７５）は、第１および第２クランプ（４６９、４７１）に対して構成されたクランプねじであって、クランプねじの対応する回転を介して、前記クランプ（４６９、４７１）を相互に向かって駆動させるためのクランプねじである。各コネクタ（４７５）にブッシング（４７９）を設けてよく、このような場合には、ブッシングは好ましくはナイロン製ブッシング（４７９）であるが、本発明に従って他の好適な構成要素および材料を使用してよい。
【００３９】
本発明の好ましい実施形態により、各プレハブ・フレームレス・パネル（３１５）の下端に、クランプアセンブリ（４７２）の一部である対応するコネクタ（４７５）と連動するための少なくとも１つの位置決め切欠き（４７７）が設けられている。各切欠き（４７７）は好ましくは、適切な方法を使用して精密な方式で各パネル（３１５）にあらかじめ作製されている。たとえば図７および９では（複数の）切欠き（４７７）は見られないが、図１５０に切欠き（４７７）の実施形態が見られる。他の利点の中でも、このような位置決め切欠き（４７７）が存在することによって、たとえば図７および９を参照すると容易に理解できるように、各パネル（３１５）を対応する一対の高さ調整アセンブリ（３３３）上に容易かつ精密に配置することができる。この点で、各高さ調整アセンブリ（３３３）は、好ましくはその縦軸（４８１）に沿って対称とされる。
【００４０】
本発明の別の好ましい態様により、各高さ調整アセンブリ（３３３）は、高さ調整アセンブリ（３３３）の対応するソケット（４６７）を通じて動力ドリルによって選択的に調整できる電動高さ調整アセンブリ（３３３）である。高さ調整アセンブリ（３３３）のソケット（４６７）は、先に説明し、図１７〜２２に例示したように、その支持エッジ（３３５）に対して実質的に平行関係で延伸してよい。または高さ調整アセンブリ（３３３）のソケット（４６７）は、その支持エッジ（３３５）を実質的に横切る関係で延伸してよい。
【００４１】
当然、当業者に明らかであるように、多様な他の種類の好適な高さ調整アセンブリ（３３３）および連動部品（ｃｏｏｐｅｒａｔｉｏｎｓ）を本壁パネルシステム（３０１）の残りの構成要素と共に、本発明に従って使用してよい。一例として、図２８〜３３を参照すると、多様な選択肢の中でも、入れ子式ねじ型高さ調整機構を含む入れ子式高さ調整アセンブリ（３３３）が示され、該調整機構は、円筒形状であり内部ねじ山および外部ねじ山を有する第１の実質的に垂直な部材（３３４）、円筒形状であり内部ねじ山および外部ねじ山を有する第２の実質的に垂直な部材（３３６）、ならびに円筒形状であり内部ねじ山および外部ねじ山を有する第３の実質的に垂直な部材（３３８）を含む。第３垂直部材（３３８）は第２垂直部材（３３６）に入れ子式に収容され、第２垂直部材（３３６）は第１垂直部材（３３４）に入れ子式に収容される。所望ならば、より多くのまたはより少ない入れ子式部材（たとえば第３垂直部材３３８に入れ子式に収容された第４垂直部材（３４０））が提供される。調整機構の作動（たとえばウォームギヤを使用）は、第１、第２および第３部材（３３４、３３６、３３８）を相互に対して回転させて、第３部材（３３８）を第２部材（３３６）から、第２部材（３３６）を第１部材（３３４）から入れ子式に延伸させることを含む。
【００４２】
他の実施形態において、図３４〜４２に示すように、システム（３０１）は、ねじ型高さ調整機構を含むダブルシャフト高さ調整アセンブリ（３３３）を含む。図解するように、ダブルシャフト高さ調整アセンブリ（３３３）は、基部３３９から上に延伸する第１垂直シャフト１２０２および基部３３９から上に延伸する第２垂直シャフト１２０４を含む。第１垂直シャフト１２０２および第２垂直シャフトは、ウォームギヤ４６７を回転させることによって回転させてよい。第１垂直シャフト１２０２は第２クランプ４７１内に配置されている第１ナット１１２０ａと係合可能であり、第２垂直シャフト１２０４は第１クランプ４６９内に配置されている第２ナット１１２０と係合可能である。表示されているように、ナット１１２０、１１２０ａは第１クランプ４６９および第２クランプ４７１内それぞれの回転に対抗して配置されているため、第１および第２垂直シャフト１２０２、１２０４の回転により、ウォームギヤ４６７の回転に対応してクランプ４６９、４７１を垂直移動させることができる。
【００４３】
好ましくは、各壁パネル（３０５）に連結された各プレハブ・フレームレス・パネル（３１５）、各下端床チャネル（３３１）および各高さ調整アセンブリ（３３３）は、設置を容易にかつ迅速化するため、オフィス空間（３０３）を画成するために現場で壁パネル（３０５、３１５）を共に組み立てる前に、「事前組み立て」方式で現場に送達される。いくつかの実施形態により、各フレームレスパネル（３１５）をさらに各上端クランプアセンブリ（３２６）と事前に組み付け、各天井軌道（３２７）を「事前組み立て」方式で各壁パネル（３０５）と連結することも理解されるべきである。言い換えれば、壁パネル（３０５）は、事前に貼付けた下端床チャネル（３３１）、高さ調整アセンブリ（３３３）、上端クランプアセンブリ（３２６）および天井軌道（３２７）と共に設置するために現場に提供されるか、またはそうでなければフレームレスパネル（３１５）と事前に組み付けられる。
【００４４】
本発明の別の好ましい態様により、図４３〜４８により良好に示すように、各接続プレート（３３７）は、中心点（４８３）を有する非貫入式（ｎｏｎ−ｉｎｖａｓｉｖｅ）接続プレート（３３７）である。「非貫入式」とは、接続プレート（３３７）が地震の発生する地域を除いて床に繋止（貫通、くぎ止め、ねじ止めなど）する必要がないことを意味し、地震の発生する地域では、法律によって対応する床への繋止が要求されることがあり、そのため本接続プレート（３３７）は、以下で説明するように「地震」対応品として提供されてよい。
【００４５】
好ましくは、各接続プレート（３３７）は中心点（４８３）の周囲に配置された複数の突起（４８５）を備え、各突起（４８５）は壁パネルシステム（３０１）の近接する下端床チャネル（３３１）の対応する位置決め孔を収容するために位置決め、成形およびサイズ決定され、一対の隣接する突起（４８５）の間での位置決めは、たとえば図７および９を参照すると容易に理解できるように、対応する下端床チャネル（３３１）が同一の接続プレート（３３７）を介して相互に接続されている場合に、システムの隣接する壁パネル（３０５、３１５）の間で適正な位置決めがなされるように構成される。
【００４６】
図４３〜４８でより良好に示されるように、各突起（４８５）は、好ましくは、接続プレート（３３７）に対して隣接する下端床チャネル（３３１）を取り外し可能に固定するための対応するナット（４８９）を収容するように構成されたねじ式突起である。接続プレート（３３７）の中心点（４８３）を起点とする一対の隣接する突起（４８５）の間に延伸するラジアル角（θ）は、接続プレート（３３７）全体で実質的に同一である。接続プレート（３３７）が第１および第２突起（４８５）を備える場合、隣接する突起（４８５）の間のラジアル角（θ）は約１８０°である。接続プレート（３３７）が第３および第４突起（４８５）をさらに備える場合、隣接する突起間のラジアル角（θ）は約９０°である。
【００４７】
本壁パネルシステム（３０１）をカーペット敷きの床で使用する場合、各接続プレート（３３７）は好ましくは、カーペットグリッパである。好ましくはまた、当業者が容易に理解できるように、各突起（４８５）は接続プレート（３３７）の対応する孔（４９３）内にねじによって係合される止めねじ（４９１）を備え、各止めねじ（４９１）は、好ましくは、カーペットを破損しないように、またはカーペットに跡が残らないようにするための、床（３０７）の対応するカーペットの繊維間に挿入するための尖端（４９５）をさらに備える。
【００４８】
接続プレート（３３７）を地震用接続プレート（３３７）として使用することを企図する場合、地震用接続プレート（３３７）は、好ましくは下方に延伸し地震用接続プレート（３３７）を床（３０７）に繋止するように構成されたねじ式繋止具（４９９）または他の好適な構成要素を中に収容するための、中心点（４８３）の周囲に配置された繋止用孔（４９７）を備える。
【００４９】
図４３〜４８に示すように、各接続プレート（３３７）は、好ましくは実質的に八角形状を有するが、当業者が容易に理解できるように、本壁パネルシステム（３０１）が使用される特定の用途および所望の最終結果に応じて、他の好適な形状および形態を使用してよい。
【００５０】
多様な添付図面に例示されているように、壁パネル（３０５、３１５）は各壁パネル（３０５、３１５）に連結された天井レール（３２９）を備え、天井レール（３２９）は図１に示すように、当分野で周知であるように好適な方式で、たとえばキャディクリップによって、天井（３０９）に取り外し可能に取り付けられる。天井レール（３２９）をたとえば図６および１１に図解する。図に示すように、天井レール（３２９）は、好ましくは実質的にＵ字形状であり、たとえば図４に示すように、相互に向けて傾斜した末端（５０３）を有する一対の突起要素（５０１）を備える。
【００５１】
好ましくは、各プレハブ・フレームレス壁パネル（３０５、３１５）の天井軌道（３２７）は、天井レール（３２９）の形状を実質的に補完している押出異形天井軌道（３２７）であり、天井レール（３２９）の対応する一対の突起要素（５０１）を収容するための一対の長手方向溝（５０５）を備える。図４および１５０に示すように、天井軌道（３２７）は場合により、一対の上端クランプアセンブリ（３２６）によってパネル（３０５）の上端エッジ（３１９）に固定されている。図１５１は、クランプアセンブリ（３２６）の拡大図である。いくつかの実施形態において、一対の上端クランプアセンブリ（３２６）は、一対の下方クランプアセンブリ（４７２）と同様の距離だけ側方に隔設されている。上端クランプアセンブリ（３２６）はそれぞれ、天井軌道３２７よりも実質的に長さが短く、たとえば下方クランプアセンブリ（４７２）とほぼ同一の長さである。他の実施形態において、各パネル（３０５）は、パネル（３０５）の総幅よりも実質的に長さが短い一対の天井軌道（３２７）を有し、一対の天井軌道（３２７）はそれぞれ対応する上端クランプアセンブリ（３２６）に固定されている。
【００５２】
多様な添付図面、たとえば図４および１１に例示するように、壁パネルシステム（３０１）は、好ましくは各プレハブ・フレームレス壁パネル（３０５、３１５）に連結された天井カバー（５０７）を備え、天井カバー（５０７）は、前記プレハブ・フレームレス壁パネル（３０５、３１５）の天井軌道（３２７）に、当業者に明らかであるように、多種多様の好適な方式で取り外し可能に取り付けることができる。同様に、壁パネルシステム（３０１）は、各プレハブ・フレームレス壁パネル（３０５、３１５）に連結された下端カバー（５０９）を備え、下端カバー（５０９）は、当業者に明らかであるように、多種多様の好適な方式で前記プレハブ・フレームレス壁パネル（３０５、３１５）の下端床チャネル（３３１）に取り外し可能に取り付けることができる。下端カバー（５０９）をたとえば図１２および１３に図解する。
【００５３】
本発明の好ましい態様により、各プレハブ・フレームレス壁パネル（３０５、３１５）は、たとえば図１に例示するように、フレームレス突き合せガラスアセンブリ（３０３）を画成するためのフレームレスガラスパネル（３０５、３１５）である。好ましくはガスケット（５１１）が、たとえば図８に示すように、近接するパネル（３０５、３１５）の隣接する側部エッジ（３２５）の間に設けられている。
【００５４】
ここで図４９〜７５を参照すると、本発明の別の好ましい態様により、各プレハブ・フレームレス・パネル（３０５、３１５）は、図４９に示すように、対応する補完付属品（５１５）を収容するための、少なくとも１つの事前に穿孔した貫通孔（５１３）を備える。好ましくは、補完付属品（５１５）は、対応する貫通孔（５１３）中に挿入可能なブッシング（５１７）を備え、ブッシング（５１７）は、たとえば図５６により良好に示すように、補完付属品（５１５）の第１および第２構成要素をそれぞれ収容するように構成された第１および第２ねじ式スタッド（５１９、５２１）を設けた、対向する端部を有する。好ましくはまた、補完付属品（５１５）は、ブッシング（５１７）の各端部と対応する構成要素との間に配置されたワッシャ（５２３）を備える。
【００５５】
図４９〜５６に例示した本発明の好ましい実施形態により、補完付属品（５１５）はガラス突き合せディストラクションマーカー（５２５）を備え、補完付属品の第１および第２構成要素の少なくとも１つがディストラクションマーカー（５２５）である。好ましくは、補完付属品（５１５）は、図示するように、内部および外部両方の一対のディストラクションマーカー（５２５）を備える。
【００５６】
図５７〜６７に例示した本発明の好ましい実施形態により、補完付属品（５１５）は、ガラス突き合せスナップ止め木製シェル（５２７）を備えていてよく、この場合、補完付属品（５１５）の第１および第２構成要素の少なくとも１つは、図６２により良好に示すように、好ましくはフック止めノブ（５２９）である。好ましくはまた、フック止めノブ（５２９）は、突き合せガラススナップ止め木製シェル（５２７）の吊りプレート（５３１）を収容するように構成され、吊りプレート（５３１）は、図６５〜６７を参照すると容易に理解できるように、好ましくは吊りフック（５３３）および対応するファスナを収容するための少なくとも１つの孔（５３５）を備える。
【００５７】
図６８〜７５に例示した本発明の好ましい実施形態により、補完付属品（５１５）は、ガラス突き合せスナップ止めガラスシェル（５３７）を備えていてよく、この場合、補完付属品（５１５）の第１および第２構成要素の少なくとも１つは、好ましくはねじ式隔離（ｓｔａｎｄ−ｏｆｆ）スタッド（５３９）である。好ましくはまた、補完付属品（５１５）はさらに、図７０〜７５により良好に例示するように、ねじ式隔離スタッド（５３９）およびディストラクションマーカー（５２５）をそれぞれ収容するように構成された第１および第２ねじ式スタッド（５１９ｂ、５２１ｂ）が設けられた対向する端部を有する別のブッシング（５１７ｂ）をさらに備える。
【００５８】
本発明で使用するプレハブ・フレームレス・パネル（３０５）は、当業者が容易に理解できるように、多様な性質および種類であることができる。たとえばプレハブ・フレームレス・パネル（３０５）は、好適な積層パネル（３０５）、または図面に例示するように、好ましくは強化または積層された、単なるガラスパネル（３０５）とすることができる。しかし、多様な他の好適な種類の「フレームレス」パネル（３０５）、たとえば石膏、メラミン、ＭＤＦなどが使用されてよく、本発明によって有用となり得ることは特筆に値する。
【００５９】
好ましくは、添付図面、すなわち図１および７６〜１００で例示するように、壁パネルシステム（３０１）は、壁パネルシステム（３０１）の所与のプレハブ・フレームレス壁パネル（３０５、３１５）の天井軌道（３２７）に取り外し可能に取り付けできる引戸アセンブリ（５４１）を備える。
【００６０】
たとえば図７６および７７に示すように、引戸アセンブリ（５４１）は、好ましくは、図７８に図解するように、上方引戸取り付けブラケット（５４７）を介して引戸アセンブリ（５４１）の引戸金具（５４５）に取り外し可能に取り付けられる引戸（５４３）を備える。好ましくは、図８４および８５により良好に示すように、引戸（５４３）の下端部には下端ガイドプラグ（５４９）が設けられている。好ましくはまた、引戸（５４３）の下端部には、下端床シール（５５１）が設けられ、図８６に例示するように、下端床シール（５５１）は下に偏向させるためにばね５５１によってばね留めしてよい。
【００６１】
または、図８７−１００を参照すると、引戸アセンブリ（５４１）は、一対の上方ガラスクランプ（５５５ａ）を介して引戸アセンブリ（５４１）の引戸金具（５４５）に取り外し可能に取り付けられるガラス引戸（５５３）を備えてよく、引戸アセンブリ（５４１）は、引戸金具（５４５）と各上方ガラスクランプ（５５５ａ）との間で連動し、前記引戸金具と各上方ガラスクランプ（５５５ａ）との間の垂直距離を選択的に調整して、次に床（３０７）に対するガラス引戸（５５３）の高さおよび角度を選択的に調整するように構成された、高さ調整ファスナ（５５７）をさらに備える。好ましくは、ガラス引戸（５５３）には一対の下端ガラスクランプ（５５５ｂ）が設けられ、次に下端ガラスクランプ（５５５ｂ）には、好ましくは下端床シール（５５９）が設けられている。好ましくはまた、各ガラスクランプ（５５５）の対向する内面には、対応するガスケット（５６１）が設けられている。
【００６２】
本発明の好ましい実施形態により、各ガラスクランプ（５５５）は、図８９および９４−１００を参照すると容易に理解できるように、締め付けアセンブリ（５６３）であって、クランプ（５５５）の内面を締め付けアセンブリ（５６３）の対応する締め付けによって相互に向かって駆動するための締め付けアセンブリ（５６３）を備える。
【００６３】
とにかく、木製引戸（５４３）またはガラス引戸（５５３）にかかわらず、引戸金具（５４５）には、好ましくは、図解していないソフトストップ機構が設けられている。
図１０２は、本発明の好ましい実施形態による相互に組み付けた一対のガラス柱パネル９５０の側面図である。図１０３は上端部の拡大図であり、図１０４は一対のガラス柱パネル９５０の拡大図である。図１０５は、接続プレート３３７および下端床チャネル３３１を図解している、本発明の好ましい実施形態による相互に組み付けた一対のガラス柱パネルの底面図である。図１０６は、図１０５に示したものの所与の部分に沿って得た断面図である。
【００６４】
図１０７は、本発明の好ましい実施形態による三方ガラス柱パネル９５２アセンブリの部分上面図である。図１０８は、三方ガラス柱パネルアセンブリ９５２の部分下端図である。図１０９は、三方ガラス柱パネルアセンブリ９５２の側面図である。図１１０は、三方ガラス柱パネルアセンブリ９５２の下端部の拡大図である。
【００６５】
図１１１は、ガラス柱パネル三方アセンブリ９５４の断面図である。図１１２は、ガラス柱三方パネルアセンブリ９５４の部分の拡大図である。
図１１３は、本発明の好ましい実施形態による、相互に組み立てられた中実パネル９７０およびガラス柱パネル９５０を含む壁パネルアセンブリ９５６の斜視図である。図１１４は、壁パネルアセンブリ９５６の上端部の拡大図である。図１１５は、壁パネルアセンブリ９５６の拡大図である。図１１６は、壁パネルアセンブリ９５６の側面図である。図１１７は、壁パネルアセンブリ９５６の下端部の拡大図である。
【００６６】
本発明の好ましい実施形態により、壁パネルシステム（３０１）の各プレハブ・フレームレス壁パネル（３０５）は、実質的に同一の高さおよび同一の幅を有し、前記同一の高さは、床（３０７）と天井（３０９）との間の所定の平均高さに対応し、各高さ調整アセンブリ（３３３）は、床（３０７）と天井（３０９）との間の寸法許容差を補正するために選択的に調整される。
【００６７】
上記の観点から、設置または作業場所の部屋の床と、部屋の天井に固定た天井レール（３２９）との間に設置するための、製造場所で壁パネル（３０５）を事前組み立てするいくつかの方法を以下で説明する。いくつかの実施形態において、事前組み立ては、図５に示す第１の下方クランプアセンブリ（４７２）を、フレームレスパネル（３１５）の下端部にあるフレームレスパネル（３１５）の表面および裏面に固定することを含む。第２の下方クランプアセンブリ（４７２）もフレームレスパネル（３１５）の下端部に場合により固定すると、第１および第２クランプアセンブリ（４７２）は、一般にフレームレスパネル（３１５）の対向する側部に向かって位置する。
【００６８】
たとえば図７および８に図解するように、下端床チャネル（３３１）は、パネル（３１５）の右側および左側の間をフレームレスパネル（３１５）の下端に沿って長手方向に延伸している。第１の高さ調整機構（３３３）は第１の下方クランプアセンブリ（４７２）および下端床チャネル（３３１）に固定され、第１調整機構（３３３）はフレームレスパネル（３１５）の垂直位置を選択的に調節するように構成されている。第２の高さ調整機構（３３３）は下端床チャネル（３３１）に固定され、第２高さ調整機構（３３３）は、第１高さ調整機構（３３３）から独立してフレームレスパネル（３１５）の垂直位置を選択的に調節するように構成されている。図解するように、第１高さ調整機構（３３３）および第２高さ調整機構（３３３）は、フレームレスパネル（３１５）の対向する下端コーナに配置することができる。ゆえに設置中に、使用者（図示せず）は、いくつかの実施形態により、フレームレスパネル（３１５）の左側部および右側部を（たとえば手動で、または電動ツールを使用して）選択的に上昇させることができる。
【００６９】
いくつかの実施形態において、図６に示す天井軌道（３２７）は、フレームレスパネル（３１５）の右側部および左側部の間にフレームレスパネル（３１５）の上端に沿って長手方向に延伸し、天井軌道（３２７）は天井レール（３２９）中に取り外し可能に挿入されるように構成されている。特に上方つまり上端クランプアセンブリ（３２６）の一方が、フレームレスパネル（３１５）の上端部のフレームレスパネル（３１５）の表面および裏面に固定され、上方クランプアセンブリ（３２６）は、たとえばボルトファスナを使用して天井軌道（３２７）に固定される。いくつかの実施形態において、図４に図解する第２の上方クランプアセンブリ（３２６）は、フレームレスパネル（３１５）の上端部に固定され、第１および第２上方クランプアセンブリ（３２６）は、一般にパネル（３１５）の対向側部に向けて位置している。事前組み立ての後、事前組み立て壁パネル（３０５）の１枚以上が設置場所に送達される。いくつかの実施形態において、複数の事前組み立て壁パネル（３０５）は、設置場所に壁パネルシステム（３０１）の追加の構成要素とともに出荷キットまたは部品のキットとして提供される。
【００７０】
図１４８および１４９に示すように、部屋の床と天井レール（３２９）との間に壁パネルシステム（３０１）を設置する方法は、事前組み立て壁パネル（３０５）の天井軌道（３２７）を天井レール（３２９）と位置合せすることを含む。天井軌道（３２７）は、壁パネル（３０５）の上端を前方に角度を付けるまたは傾斜させることによって取り外し可能に挿入される。壁パネル（３０５）の下端は前方に移動され、床チャネル（３３１）は動作可能に床に配置され、天井軌道（３２７）は天井レール（３２９）中に収容される。次に、事前組み立て壁パネル（３０５）の垂直位置は、天井軌道（３２７）を天井レール（３２９）によって前から後ろに拘束した状態で１つ以上の調整機構（３３３）を作動させることによって調整され、天井軌道（３２７）は、事前組み立て壁パネル（３０５）の垂直位置が調整されるときに、上下垂直に滑動させることもできる。
【００７１】
いくつかの実施形態において、高さ調整は手動で（すなわち電動ツール、たとえば電気ドリルによる補助なしで）行われる。他の実施形態において、調整機構は電動ツールを使用して作動される。いくつかの実施形態において（たとえば図１９〜２２に示すように）、調整機構を作動させることは、第１脚の第１端部および第２脚の第１端部を相互に向かって駆動させることを含み、第１脚の第２端部は第２脚の第２端部に対して枢動可能に接続される。いくつかの実施形態（たとえば図２８〜３３に示すように）、（たとえばウォームギヤ４６６等のウォームギヤを使用する）調整機構の作動は、第１、第２および第３部材（３３４、３３６、３３８）を相互に対して回転させて、第３部材（３３８）を第２部材（３３６）から、第２部材（３３６）を第１部材（３３４）から入れ子式に延伸させることを含む。図解するように、下端カバー（５０９）は下端に沿って適合している。
【００７２】
本発明の別の好ましい態様により、本壁パネルシステム（３０１）は、「フレームレス」壁パネル（３１５）または「フレーム付き」壁パネル（５６７）にかかわらず、壁パネルシステム（３０１）の少なくとも１つの他の壁パネル（３０５、３１５、５６７）と組み付けられる少なくとも１つのフレーム付き壁パネル（５６７）と共に使用してよく、少なくとも１つのフレーム付き壁パネル（５６７）をさらに備えてよい。壁パネル（３０５、３１５、５６７）の組み立ては、添付図面に例示した対応する構成要素を介して行われ、好ましくは一対の一体化電動高さ調整アセンブリ（３３３）も各フレーム付き壁パネル（５６７）と連結されて、フレーム付き壁パネル（５６７）の対応する下端床チャネル（３３１）に挿入可能であり（または下端床チャネル（３３１）とともに事前組み立てされ）、各高さ調整アセンブリ（３３３）は、フレーム付き壁パネル（５６７）の下端距離（５６９）を動作可能に支持するための支持エッジ（３３５）を備えているので、その下端距離チャネル（５６９）をそれに応じて上昇または下降させることによってフレーム付き壁パネル（５６７）を選択的に上昇または下降させて、壁パネルシステム（３０１）の各「フレームレス」壁パネル（３１５）と同様に、フレーム付き壁パネル（５６７）の垂直高さ調整およびその回転角調整を行えるようにする。
【００７３】
図１４４−１４７を参照すると容易に理解できるように、好ましくは、フレーム付き壁パネル（５６７）はドロップダウンカバー（５７１）を備え、前記ドロップダウンカバー（５７１）は、フレーム付き壁パネル（５６７）の下端距離チャネル（５６９）内に収容可能であり、フレーム付き壁パネル（５６７）に連結された高さ調整アセンブリ（３３３）に選択的にアクセスできるように、下降および上昇した配置の間で操作可能である。
【００７４】
図１４６および１４７を参照すると容易に理解できるように、好ましくはドロップダウンカバー（５７１）は、ドロップダウンカバー（５７１）が駆動されて床（３０７）に下降配置されるように、下端距離チャネル（５６９）とドロップダウンカバー（５７１）との間に配置された対応するばね（５７３）によってばね留めされている。
【００７５】
図１１８は、本発明の好ましい実施形態による戸柱を含む壁パネルアセンブリ９８２の斜視図である。図１１９は、壁パネルアセンブリ９８０の側面図である。
ここで図１２０〜１２４を参照すると、第１および第２の近接するフレーム付き壁パネル（５６７）は、隣接する縦柱（５７５）の一対のスロット（５７９）中に取り外し可能に挿入される、少なくとも１つの柱接続クリップ（５７７）によって相互に接続されている。
【００７６】
本発明の別の好ましい実施形態により、図１２５〜１３２を参照すると容易に理解できるように、フレーム付き壁パネル（５６７）は中間距離チャネル（５８１）および内部吊り構成要素（５８５）が設けられた外部カバリングを備え、外部カバリング（５８３）は、その吊り構成要素（５８５）を中間距離チャネル（５８１）上に吊ることにより、フレーム付き壁パネル（５６７）に取り付けられている。
【００７７】
外部カバリング（５８３）は金属シェル（５８３）であってよく、この場合、図１３３および１３４に例示するように、その内部吊り構成要素（５８５）も好ましくは、金属シェル（５８３）に構造的剛性を与えるための補強構成要素（５８７）である。
【００７８】
図１３５は、第１の材料より成る壁構造１１０２を含む、本発明の好ましい実施形態による中実パネルＭＤＦ／積み重ね可能ガラスポールパネルアセンブリ９９０の断面図である。
【００７９】
図１３６は、第２の材料より成り、層１１０６を含む壁構造１１０４を含む、本発明の別の好ましい実施形態による中実パネルＭＤＦ／積み重ね可能ガラスポールパネルアセンブリ９９２の断面図である。
【００８０】
本発明のまたさらに別の好ましい実施形態により、図１３７−１４０により良好に示すように、フレーム付き壁パネル（５６７）は、フレーム付き壁パネル（５６７）の一対の積み重ね構成要素（１５９１）の間に画成された水平フック止めチャネル（５８９）を備えてよい。
【００８１】
図１３９に例示するように、好ましくは、各フック止めブラケット（５９１）はフック止め部（５９３）および吊り部（５９５）を備え、フック止めブラケット（５９１）のフック止め部（５９３）は、フック止めチャネル（５８９）の形状を補完する形状であり、フック止めチャネル（５８９）は、好ましくは上に向かって凹形の溝（５９７）を備える。
【００８２】
図１４１は、本発明の好ましい実施形態による、クリアストーリー配置に沿って配置された壁パネルアセンブリ１００２の側面図である。図１４２は、壁パネルアセンブリ１００２の上端部の拡大断面図である。図１４３は、壁パネルアセンブリ１００２の下端部の拡大図である。
【００８３】
図１４４は、本発明の好ましい実施形態によるドロップダウンカバーを備えたフレーム付きガラスパネル１００４の一部省略斜視図である。図１４５は、フレーム付きガラスパネル１００４の下端斜視図であって、フレーム付きガラスパネル１００４はここでは下端カバー１００８が取り除かれている。
【００８４】
好ましくは、壁パネルシステム（３０１）は、添付図面に例示するように、各種の壁パネルの多種多様のアセンブリが使用可能となるように、ガラス柱パネル、中実パネル、戸柱、金属フレームパネル、積み重ね可能パネルおよびクリアストーリーパネルから成る群より選択される少なくとも１つの他の補完壁パネル（５９９）を備える。
【００８５】
ここでより良好に認識されるように、本発明は、添付図面および本説明を参照すると、当業者が容易に理解できるように、従来の壁パネルシステムを超える実質的な改良である。
【００８６】
たとえば、本発明の「突き合せガラスパネル」実施形態に関して、該実施形態は、以下の構成要素、機能、配置、相互関係、変形および／または得られる利点を有してよく、すなわち：ａ）連続基部カバーおよび天井カバーを有するモジュラー式パネル；ｂ）連続カバーおよび天井カバーは作業側で組み立てられる；ｃ）二方、三方または四方設置での完全突合せ接合のための垂直エッジに１／８インチチャンバを有する３／８インチ強化ガラス；ｄ）基部カバーの高さは一定を保つ；ｅ）約＋／−１インチの高さ調整、床チャネルおよび基部カバー内での構成要素の移動、ｆ）高さ調整は、電動ツールまたは手動で機械的に操作される（オプション１−ギヤボックスおよび逆ねじ式ロッド；オプション２−回転ラジアル接続管状ギヤ；ならびにオプション３−ダブルシャフトおよびギヤボックス）；ｇ）調整は、パネルの両側からアクセス可能である；ｈ）カーペットグリッパ／地震用床プレートによって、隣接するパネル間の一貫した正確な距離／間隔が確保される；ｉ）カーペットグリッパ／地震用床プレートによって、パネルをいずれの角度にも配置できる；ならびにｊ）垂直突き合せガラスフィルタ／コネクタによって、剛性および他にはないデザインの外観が確保される。
【００８７】
本発明の「カーペットグリッパ／地震用床アタッチメント」実施形態に関して、該実施形態は、以下の構成要素、機能、配置、相互関係、変形および／または得られる利点を有してよく、すなわち：ａ）すべてのパネルは、床チャネルにねじ式カーペットグリッパによって固定される；ｂ）寸法を維持し、システムが作業側から増大するのを防ぐ；ならびにｃ）止めねじはカーペットグリッパとして使用するが、床チャネルを所定の位置に維持するためにも使用する（地震のある地域では、床チャネルを止めねじにナットで固定し、プレートを床にボルト止めする）。
【００８８】
本発明の「ガラス柱パネル」実施形態に関して、該実施形態は以下の構成要素、機能、配置、相互関係、変形および／または得られる利点を有してよく、すなわち：ａ）ガラスパネルは、凹状基部を有するモジュラー式一体化パネルである；ｂ）ガラスパネルは１／４インチおよび３／８インチガラスを収容する；ｃ）ガラスパネルのフレームは、アルミニウム押出し成形品で被覆されたアルミニウムまたは鋼鉄スロット付き柱より成る；ｄ）パネル間の接続は、柱の垂直エッジに沿って孔開けされたスロット付き支柱（ｓｌｏｔｔｅｄ  ｓｔａｎｄａｒｄ）に挿入されたフック止めクリップによって行う；ｅ）パネル間におよそ３／８インチの抱きが生じる；ｆ）上端距離チャネル２．５インチ、下端距離チャネル３インチ；ｇ）約＋／−１インチの高さ調整、床チャネル内での移動−ガラスは、好ましくはフレームに固定したクランプによって所定の位置に維持される；ｈ）高さ調整機構を隠す一体化ばね留めドロップダウンカバーを有する、凹状基部；ｉ）工場で事前組み立てされたばね留めドロップダウンカバー；ならびにｊ）半径約４インチで設計された柱および距離チャネル。
【００８９】
本発明の「中実パネル」実施形態に関して、該実施形態は、以下の構成要素、機能、配置、相互関係、変形および／または得られる利点を有してよく、すなわち：ａ）中実パネルは、凹状基部を有するモジュラー式一体化パネルである；ｂ）中実パネルは積み重ね可能である；ｃ）中実パネルフレームは鋼鉄製で、柱に垂直スロットがある；ｄ）鋼鉄スロット付き柱のクリップによる、パネル間接続；ｅ）柱のスロット付けは、各種の付属品（すなわちオーバーヘッド、作業面、家具、棚付けなど）の吊り下げ手段ともなる−またこれにより、水平軌道チャネルを介して水平に実施することができる；ｆ）シェルは、フレームの補強材によって、フレーム内部に固定されているまたは水平に吊り下げられている鋼鉄／ばね鋼鉄クリップ内へ、クリップ止めまたは吊り下げられる；ｇ）ばね留めドロップダウンカバーと一体化された凹状基部；ｈ）約＋／−１インチの高さ調整、床チャネル内での移動、クランプはフレームにねじ止めされている；ｉ）高さは電動ツールによってパネル側部から調整される；ｊ）オプションの連続（ｃｏｎｔｉｎｕｅｓ）フレームに一体化された水平フック止めチャネル；ｋ）積み重ね可能パネルを有する、オプションの連続水平フック止めチャネル；ならびにｌ）フック止めチャネルの総幅は３／８インチであり、スロットは円形形状であり、ブラケットが外れるのを防止するように設計された、同一形状のブラケットを収容する。
【００９０】
本発明の「高さ調整アセンブリ」実施形態に関して、該実施形態は、以下の構成要素、機能、配置、相互関係、変形および／または得られる利点を有してよく、すなわちａ）約＋／−１インチの高さ調整、床チャネル内での移動、クランプはフレームにねじ止めされているか、または３／８インチもしくは１／２インチガラスをクランプ締めしている；ｂ）高さは電動ツールによってパネル側部から調整される；ｃ）ギヤボックスアセンブリは逆ねじ式ロッドを操作し、逆ねじ式ロッドは次に、ガラス保持クランプに固定されている鋼鉄製クロスアタッチアームを操作する；ならびにｄ）高さ調整は両側からアクセス可能である。
【００９１】
本発明により、壁パネルシステムおよび対応する部品は、好ましくは実質的に剛性材料、たとえば金属材料（アルミニウム、ステンレス鋼など）、硬化ポリマー、複合材料などより成るが、本発明によるその他の構成要素は、当業者に明らかであるように、壁パネルシステムおよび結果として得られる作業スペースが企図される特定の用途および根拠となる（ｉｎ  ｃａｕｓｅ）各種のパラメータに応じて、本明細書で簡潔に論じる結果として得られる利点を達成するために、好ましくは好適に可鍛性および可撓性の材料、たとえばポリマー材料（プラスチック、ゴムなど）などより成ってよい。
【００９２】
ここでまたさらに認識され得るように、本発明による壁パネルシステムは、たとえば非常に迅速で容易、便利、適正、体系的で費用効果的な方式で、フレームレス壁パネル、たとえば突き合せガラス壁パネルを取り付け、これにより従来の壁パネルシステムの「現場組み立て」アプローチの対応する欠点を回避するのに特に良好に適した、可動型非順次取り付けおよび取り外し可能壁パネルシステムを提供するという点で従来技術を超える改善である。
【００９３】
もちろん上記の実施形態には、添付の特許請求の範囲で定義するような本発明の範囲から逸脱することなく、多くの修正を行うことができる。たとえば図１５０〜１７７は、いくつかの実施形態による壁パネルシステム３０１の機能を示す。
【００９４】
図１５０〜１５２は、いくつかの実施形態による事前組み立てフレームレス壁パネル３０５の構成要素を示す。図示するように、壁パネル３０５は、先に記載したものと同様の多様な構成要素を含む。いくつかの実施形態において、事前組み立てフレームレス壁パネル３０５は、一対の隔設された上端クランプアセンブリ（３２６）（図１５１により詳細に示す）、対応する一方の上端クランプアセンブリ（３２６）に固定されるようにそれぞれ構成されている一対の天井軌道（３２７）を含む。事前組み立てフレームレス壁パネル（３０５）は、壁パネル（３１５）、一対の高さ調整アセンブリ（３３３）（図１５２により詳細に示す）および下端床チャネル（３３１）も含む。対で提供される多様な構成要素が図示されているが、２より多いまたは少ない構成要素が想定される。
【００９５】
図１５３−１５５は、壁パネルシステム（３０１）と共に使用するための引戸フレーム（８００）を示す。一般に、引戸アセンブリ（たとえば引戸アセンブリ（５４１））は、引戸フレーム（８００）に動作可能に固定されている。図示するように、引戸フレーム（８００）は、第１わき柱（８０２）、第２わき柱（８０４）ならびに第１および第２わき柱（８０２、８０４）の間に延伸するヘッダ（８０６）を含む。
【００９６】
いくつかの実施形態により、第１および第２わき柱（８０２、８０４）は相互の鏡像であり、ゆえに両方のわき柱（８０２、８０４）の機能を第１わき柱（８０２）に関連して記載する。いくつかの実施形態により、図１５４は、図１５３に示す範囲１５４−１５４の戸フレーム（８００）の部分図であり、図１５５は図１５４の上面図である。図１５５に示すように、第１わき柱（８０２）は、壁パネルシステム（３０１）の隣接するフレームレスパネル（図示せず）をクランプ締めするためのクランプアセンブリ（８１０）およびシステム（３０１）の使用者にとって魅力的な外観面を提示する内部カバーアセンブリ（８１２）を含む。
【００９７】
いくつかの実施形態において、クランプアセンブリ（８１０）は、隣接するフレームレスパネルの垂直エッジにクランプ締めするための収容チャネル（８１３）を画成し、クランプアセンブリ（８１０）は第１部（８２０）および第２部（８２２）を含み、第１および第２部（８２０、８２２）は、収容チャネル（８１３）を画成するための補完ばめを形成するように構成されている。図示するように、クランプアセンブリ（８１０）は、第１および第２部（８２０、８２２）にそれぞれ対向する方式で固定されるように構成された保持部材（８２４、８２６）も含む。
【００９８】
カバーアセンブリ（８１２）は場合により、カバーアセンブリ（８１２）をクランプアセンブリ（８１０）に固定するための固定手段を含む。いくつかの実施形態において、固定手段は、図１５５に示すようにカバーアセンブリ（８１２）をクランプアセンブリ（８１０）に摩擦によって保持するためのカバーアセンブリ（８１２）およびクランプアセンブリ（８１０）に収容されたガスケット（８３０）である。
【００９９】
いくつかの実施形態において、壁パネルシステム（３０１）のアセンブリは、隣接するフレームレスパネルの垂直エッジの対向側部上に第１および第２部（８２０、８２２）を固定すること、および１つ以上のファスナ（８３２）を使用して該部（８２０、８２２）を共に固定して、システム（３０１）のフレームレスパネル（図示せず）および関連部（３０１）を第１わき柱（８０２）に固定することを含む。第２わき柱（８０４）は場合により  システム（３０１）の別のフレームレスパネル（図示せず）に固定され、ヘッダ（８０６）は第１および第２わき柱（８０２、８０４）の間に固定される。いくつかの実施形態において、引戸アセンブリ（たとえば引戸アセンブリ（５４１）等）はヘッダ（８０６）に動作可能に固定される。
【０１００】
図１５６〜１６１は、望ましくない移動、たとえば地震活動に関連する移動に対するシステム（３０１）の耐性をさらに向上させるための、壁パネルシステム（３０１）の追加の機能を示す。図１５６および１５７は、隣接する天井軌道（３２７Ａ、３２７Ｂ）（たとえば天井軌道（３２７）に類似）および天井レール（３２９）に固定された上方ブラケット（９００）であって、望ましくない移動に対するシステム（３０１）の耐性を補強またはそうでなければ向上させる上方ブラケット（９００）を示す。図１５８および１５９に示すように、上方ブラケット（９００）は第１垂直脚（９０２）および第２垂直脚（９０４）を含み、第１垂直脚（９０２）は第２垂直脚（９０４）の上に、後方にややずれて位置決めされている。いくつかの実施形態により、第１垂直脚（９０２）はまた、第２垂直脚（９０４）よりも実質的に狭い。図示するように、第１および第２垂直脚（９０２、９０４）は、ファスナ、たとえばセルフタッピンねじ（９０８）を収容するための複数のアパーチャ（９０６）を含む（図１５６および１５７）。
【０１０１】
図１５６および１５７に示すように、上方相互接続部としても記載されている上方ブラケット（９００）は、隣接する天井軌道（３２７Ａ、３２７Ｂ）の間の中央に位置決めされ、第１垂直脚（９０２）は天井レール（３２９）に固定され、第２垂直脚（９０４）はセルフタッピンねじ（９０８）を使用して隣接する天井軌道（３２７Ａ、３２７Ｂ）に固定される。少なくともこの方式では、システム（３０１）の隣接する天井軌道（３２７Ａ、３２７Ｂ）は共に固定され、天井レール（３２９）にも固定されて、システム（３０１）の望ましくない移動に対する追加の耐性を提供する。
【０１０２】
図１６０〜１６２は、望ましくない移動に対するシステム（３０１）の耐性を向上させるために、隣接する下端床チャネル（３３１Ａ、３３１Ｂ）内に収容されて、床に固定されるように適合された下方ブラケット（９３０）を示す。図１６０および１６２に示すように、下方ブラケット（９３０）は比較的短い側壁を有する、Ｕ字形チャネルの細長片として形成され、下方ブラケット（９３０）は中央に位置するアパーチャ（９３２）を２個含む。
【０１０３】
使用時に、下方相互接続部としても記載される下方ブラケット（９３０）は、隣接する下端床チャネル（３３１Ａ、３３１Ｂ）内に収容され、ファスナ（図示せず）、たとえばセメント釘は、アパーチャ（９３２）を通じて床へと駆動されて、下端床チャネル（３３１Ａ、３３１Ｂ）の床への固定を補助する。
【０１０４】
図１６３〜１６７は、いくつかの実施形態による別の高さ調整アセンブリ（３３３）を示す。図示するように、高さ調整アセンブリ（３３３）は、基部（３３９）、基部（３３９）から突出する、対向する第１および第２エンドキャップ（４４１、４４３）ならびにエンドキャップ（４４１、４４３）の周囲に回転可能に取り付けられた．高さ調整ロッド（４４５）を含むハサミ型高さ調整機構を含む。高さ調整ロッド（４４５）は、相互に対向してそれぞれねじ止めされている第１および第２ねじ式セグメント（４４７、４４９）を有する。高さ調整アセンブリ（３３３）は、第１および第２調整脚（４５１、４５３）も含み、第１調整脚（４５１）は、高さ調整ロッド（４４５）の第１ねじ式セグメント（４４７）にねじで係合されたランナ構成要素（４５５）に枢動可能に取り付けられた末端および支持エッジ（３３５）に枢動可能に取り付けられた第２末端を有する。図示するように、第１方向に沿った共通高さ調整ロッド（４４５）の回転によって支持エッジ（３３５）の上昇が引き起こされ、第２の対向する方向に沿った前記共通高さ調整ロッド（４４５）の回転によって支持エッジ（３３５）の下降が引き起こされるように、第２調整脚（４５３）は、高さ調整ロッド（４４５）の第２ねじ式セグメント（４４９）にねじで係合されたランナ構成要素（４５７）に枢動可能に取り付けられた末端および支持エッジ（３３５）に枢動可能に取り付けられた第２末端を有する。
【０１０５】
いくつかの実施形態において、第１および第２調整脚（４５１、４５３）の第２末端は、図１７、１８、２１および２２により良好に示されているように、共通枢軸（４５９）の周囲に支持エッジ（３３５）の下端部に枢動可能に取り付けられている。調整脚（４５１、４５３）は、場合により、調整脚（４５１、４５３）が下降した配置へと引き込まれるときに高さ調整ロッド（４４５）の一部を避けるまたは収容するための凹部（４５１Ａ、４５３Ａ）を含む。図１６５〜１６７は、退避つまり折畳み状態（図１６５）、中間状態（図１６６）および展開つまり拡張状態（図１６７）の間での高さ調整アセンブリ（３３３）の移動を示す。
【０１０６】
図１６８〜１７７は、図１５０に示す事前組み立て壁パネル（３０５）に類似した複数の事前組み立て壁パネル（３０５）を含む壁パネルシステム（３０１）の多様な機能および構成要素を示す。図１６８は、複数の隣接する事前組み立て壁パネル（３０５）を含む壁パネルシステム（３０１）の前斜視図を示し、複数の壁パネル（３０５）は、第１事前組み立て壁パネル（３０５Ａ）、第２事前組み立て壁パネル（３０５Ｂ）および第３事前組み立て壁パネル（３０５Ｃ）を含む。図示するように、パネル（３０５）は、レールおよびタイルシステム（９５０）で使用するように構成された貫通孔（５１３）を含む。
【０１０７】
いくつかの実施形態において、レールおよびタイルシステム（９５０）は、支持枠組みを形成する複数のレール（９５２）および枠組みによって支持される複数のタイル（９５４）を含む。タイル（９５４）は、所望によりファスナ、クリップ、ブラケット、接着剤または他の固定手段によってレール（９５２）に場合により固定される。多種多様のレールおよびタイルシステム配置が想定され、図１６９は、１片以上の布で形成された１個のタイル（９５４）または複数のタイル（９５４）を支持するレール（９５２）を示し、図１７０は、ベニヤまたは積層体材料で形成された１個のタイル（９５４）または複数のタイル（９５４）を支持するレール（９５２）を示し、図１７１は、たとえばマーカーボードとして使用できる積層ガラスで形成された１個のタイル（９５４）または複数のタイル（９５４）を支持するレール（９５２）を示す。
【０１０８】
図１７２は、システム（３０１）の裏面側に取り付けられた第２レールおよびタイルシステム（９５０Ｂ）を備えたシステム（３０１）の背面斜視図を示す。レールおよびタイルシステム（９５０Ｂ）は、貫通孔（５１３）を使用してレールをパネル（３０５Ａ、３０５Ｂ、３０５Ｃ）に固定するための、レール（９５２Ｂ）内のアパーチャ（９５６Ｂ）を示すためにタイルを取り除いて、図１７２に示されている。たとえばボルトおよびワッシャなどのファスナ（図１７４）は、パネル（３０５Ａ、３０５Ｂ、３０５Ｃ）の対向側部の所定の位置にレールおよびタイルシステム（９５０、９５０Ｂ）を固定する孔（５１３）によってねじ止めされる。
【０１０９】
図１６８に示すように、壁パネル付属品、たとえば棚（９６０）またはテーブル延長部（９６２）は、レール（９５２）またはタイル（９５４）に含まれる機能（図示せず）中に場合により固定（たとえば片持ち）される。図１７３は、図解しやすくするために第２レールおよびタイルシステム（９５０Ｂ）を取り外した、図１７２の線１７３−１７３に沿った拡大断面図である。図示するように、棚（９６０）がレール（９５２）に片持ちされるように、棚（９６０）はレール（９５２）の開口部に挿入される。図１６８に示すように、１つ以上のタイル（９５４）は、電気コンセントアセンブリ（９６４）を収容するための開口部または他の機能を含む。電気コンセントアセンブリ（９６４）は、１１０Ｖコンセント、ＬＡＮレセプタクル、ＲＦケーブルレセプタクルまたはその他などの、多種多様の低、標準また高圧コンセント手段のいずれかを含む。図１７２は、背面図（パネル（３０５Ｂ）のガラスを通して見た）の電気コンセントアセンブリ（９６４）を示し、図１７５は、図１７２の範囲１７５−１７５の拡大図である。図１７５に示すように、電気コンセントアセンブリ（９６４）は、締め付け手段、たとえばねじを使用してタイル（９５４）に固定されたブラケット（９６６）を含む。電気コンセントアセンブリ（９６４）は、電源（たとえば１１０Ｖ電源、ＬＡＮ接続、ケーブルｔｖまたはその他）に接続されたコンジット供給アセンブリ（図１７６）に場合により固定される。所望ならば、コンジット供給アセンブリは、下端カバー（５０９）（図１６８）まで下り、下端カバー（５０９）を通じて電源に達することが可能である。電気コンセントアセンブリ（９６４）はこれにより、システム３０１によってコンセントを配置するための有効でただちに組み立てされる解決策を提供する。
【０１１０】
図１７６および１７７は、下端床チャネル（３３１）に隣接するシステムの下端に取り付けるように構成された別の電気コンセントアセンブリ（９７０）の構成要素を示す。図示するように、電気コンセントアセンブリ（９７０）は、第１コンセント（９７２）、第２コンセント（９７４）、電気相互接続部（９７６）、第１取り付けブラケット（９７８）、第２取り付けブラケット（９８０）、コンジット供給アセンブリ（９８２）および下端カバー（５０９）と同様に作用する改良下端カバー（９８４）を含む。
【０１１１】
第１および第２コンセント（９７２、９７４）は、電気相互接続部（９７６）によって場合により電気接続される。図示するように、前記第１および第２コンセント（９７２、９７４）は、米国標準１１０Ｖコンセントとして構成されているが、電気コンセントアセンブリ（９６４）によって述べたように、多種多様のコンセント構成のいずれも想定される。いくつかの実施形態において、第１ブラケット（９７８）は、第１コンセント（９７２）にクリップ止めされるように構成され、第２ブラケット（９８０）は同様に、第２コンセント（９７４）にクリップ止めされるように構成されている。
【０１１２】
いくつかの実施形態において、改良下端カバー（９８４）は、使用者に第１コンセント（９７２）を動作可能に露出させるための第１開口部（９９０）および使用者に第２コンセント（９７４）を動作可能に露出させるための第２開口部（９９２）を含む。カバー（９８４）は、第１ブラケット（９７８）の一部をスナップばめ関係で収容するための第１スロット（９９６）および第２ブラケット（９８０）の一部をスナップばめ関係で収容するための第２スロット（９９８）も含み、第１および第２コンセント（９７２、９７４）、電気相互接続部（９７６）、第１および第２取り付けブラケット（９７８、９８０）ならびにコンジット供給アセンブリ（９８２）を収容するように構成された．上方チャネル（９９９）を画成している。
【０１１３】
図１７７は、図解を容易にするためにアセンブリ（９７０）の他の部分を取り外した、第２ブラケット（９８０）および下端カバー（９８４）のスナップばめまたはクリップ止め関係を示す端面図である。図示するように、第２ブラケット（９８０）は、下端カバー（９８４）内の、第２スロット（９９８）（図１７７では隠れている）を通じて突出する第２ブラケット（９８０）の下方部（１０００）にスナップ止めされている。構成要素は共に全部または一部組み立てられ、下端カバー（９８４）は、下端チャネル（３３１）の１つ以上に固定され、コンジット供給アセンブリ（９８２）は電源（たとえば１１０Ｖ電源、ＬＡＮ接続、ケーブルｔｖまたはその他）に接続されている。電気コンセントアセンブリ（９７０）はこれにより、システム３０１によって低／高圧コンセントを配置するための有効でただちに組み立てされる解決策を提供する。
【０１１４】
モジュラー式壁システムの多様な機能および関連する方法について記載してきたが、本発明の範囲から逸脱することなく、多種多様の異なる機能およびその組合せが想定されることが理解されるべきである。たとえば上述の実施形態は、特定の機能について述べているが、本発明の範囲には、機能の異なる組合せを有する実施形態および記載した機能すべてを含むわけではない実施形態も含まれる。したがって、本発明の範囲は、特許請求の範囲に含まれるこのような代替態様、修正態様および変形態様を、そのすべての均等物と共に含むことが企図される。
【符号の説明】
【０１１５】
添付図面に図解されている対応する好ましい構成要素のいくつかの参照番号のリスト：
３０１  壁パネルシステム
３０３  オフィス空間
３０５  壁パネル
３０７  床
３０９  天井
３１１  縦軸
３１３  横軸
３１５  壁パネル
３１７  高さ
３１９  上端エッジ
３２１  下端エッジ
３２３  幅
３２５  側部エッジ
３２５ａ  左側部エッジ
３２５ｂ  右側部エッジ
３２６  上端クランプアセンブリ
３２７  天井軌道
３２９  天井レール
３３１  下端床チャネル
３３３  高さ調整アセンブリ
３３４  第１垂直部材
３３５  支持エッジ
３３６  第２垂直部材
３３７  接続プレート
３３８  第３垂直部材
３３９  基部
３４０  第４垂直部材
４４１  第１エンドキャップ
４４１ａ  第１エンドキャップ構成要素（第１エンドキャップ４４１の）
４４１ｂ  第２エンドキャップ構成要素（第１エンドキャップ４４１の）
４４３  第２エンドキャップ
４４３ａ  第１エンドキャップ構成要素（第２エンドキャップ４４３の）
４４３ｂ  第２エンドキャップ構成要素（第２エンドキャップ４４３の）
４４５  高さ調整ロッド
４４７  第１ねじ式セグメント
４４９  第２ねじ式セグメント
４５１  第１調整脚
４５１ａ  凹部
４５２  第２末端
４５２ａ  第１末端
４５３ａ  凹部
４５３  第２調整脚
４５５  ランナ構成要素
４５７  ランナ構成要素
４５９  枢軸
４６１  第１ブッシング
４６３  第２ブッシング
４６５  ファスナ
４６６  ウォームギヤ
４６６ａ  ウォームギヤ
４６７  ソケット
４６９  第１クランプ
４７１  第２クランプ
４７２  下方クランプアセンブリ
４７３  ガスケット位置
４７５  コネクタ
４７７  切欠き
４７９  ブッシング
４８１  長軸
４８３  中心点
４８５  突起
４８７  孔
４８９  ナット
４９１  止めねじ
４９３  孔
４９５  尖端
４９７  繋止用孔
４９９  繋止具
５０１  突起要素
５０３  末端（突起要素の）
５０５  長手方向溝
５０７  天井カバー
５０９  下端カバー
５１１  ガスケット
５１３  貫通孔
５１５  補完付属品
５１７  ブッシング
５１７ｂ  ブッシング
５１９ｂ  第１ねじ式スタッド
５２１ｂ  第２ねじ式スタッド
５１９  第１ねじ式スタッド
５２１  第２ねじ式スタッド
５２３  ワッシャ
５２５  ディストラクションマーカー
５２７  スナップ止め木製シェル
５２９  フック止めノブ
５３１  吊りプレート
５３３  吊りフック
５３５  孔
５３７  スナップ止めガラスシェル
５３９  隔離スタッド
５４１  引戸アセンブリ
５４３  引戸
５４５  引戸金具
５４７  引戸取り付けブラケット
５４９  下端ガイドプラグ
５５１  下端床シール
５５１ａ  ばね
５５３  ガラス引戸
５５５  ガラスクランプ
５５５ａ  上方ガラスクランプ
５５５ｂ  下端ガラスクランプ
５５７  高さ調整ファスナ
５５９  下端床シール
５６１  ガスケット
５６３  締め付けアセンブリ
５６５  ソフトトップ機構
５６７  フレーム付き壁パネル
５６９  下端距離チャネル
５７１  ドロップダウンカバー
５７３  ばね
５７５  縦柱
５７７  柱接続クリップ
５７９  スロット
５８１  中間距離チャネル
５８３  外部カバー（または金属シェル）
５８５  内部吊り構成要素
５８７  補強構成要素
５８９  フック止めチャネル
５９１  フック止めブラケット
５９３  フック止め部
５９５  吊り部
５９７  溝
５９９  補助壁パネル
８００  引戸フレーム
８０２  第１わき柱
８０４  第２わき柱
８０６  ヘッダ
８１０  クランプアセンブリ
８１２  カバーアセンブリ
８１３  収容チャネル
８２０  第１部
８２２  第２部
９００  上方ブラケット
９０２  第１垂直脚
９０４  第２垂直脚
９０６  アパーチャ
９０８  セルフタッピンねじ
９３０  下方ブラケット
９３２  アパーチャ
９５０  ガラス柱パネル
９５２  三方ガラス柱パネルアセンブリ
９５４  ガラス柱三方パネルアセンブリ
９５６  壁パネルアセンブリ
９８０  壁パネルアセンブリ
９８２  戸柱
９９０  中実パネルＭＤＦ／積み重ね可能ガラスポールパネルアセンブリ
９９２  中実パネルＭＤＦ／積み重ね可能ガラスポールパネルアセンブリ
１００２  壁パネルアセンブリ
１００４  フレーム付きガラスパネル
１００６  ドロップダウンカバー
１００８  下端カバー
１０１０  フレーム付き壁パネル
１０１４  フレーム付き壁パネル
１１０２  壁構造体
１１０４  壁構造体
１１０６  層
１１２０  ナット
１１２０ａ  ナット
１２０２  垂直シャフト
１２０４  垂直シャフト
１５９１  積み重ね構成要素
【図１】
0006449767.tif 000002
【図２】
0006449767.tif 000003
【図３】
0006449767.tif 000004
【図４−５】
0006449767.tif 000005
【図６】
0006449767.tif 000006
【図７】
0006449767.tif 000007
【図８】
0006449767.tif 000008
【図９】
0006449767.tif 000009
【図１０】
0006449767.tif 000010
【図１１】
0006449767.tif 000011
【図１２】
0006449767.tif 000012
【図１３】
0006449767.tif 000013
【図１４】
0006449767.tif 000014
【図１５】
0006449767.tif 000015
【図１６】
0006449767.tif 000016
【図１７】
0006449767.tif 000017
【図１８】
0006449767.tif 000018
【図１９】
0006449767.tif 000019
【図２０】
0006449767.tif 000020
【図２１】
0006449767.tif 000021
【図２２】
0006449767.tif 000022
【図２３】
0006449767.tif 000023
【図２４】
0006449767.tif 000024
【図２５】
0006449767.tif 000025
【図２６】
0006449767.tif 000026
【図２７】
0006449767.tif 000027
【図２８】
0006449767.tif 000028
【図２９】
0006449767.tif 000029
【図３０】
0006449767.tif 000030
【図３１】
0006449767.tif 000031
【図３２】
0006449767.tif 000032
【図３３】
0006449767.tif 000033
【図３４】
0006449767.tif 000034
【図３５】
0006449767.tif 000035
【図３６】
0006449767.tif 000036
【図３７．４０】
0006449767.tif 000037
【図３８】
0006449767.tif 000038
【図３９】
0006449767.tif 000039
【図４１】
0006449767.tif 000040
【図４２】
0006449767.tif 000041
【図４３】
0006449767.tif 000042
【図４４】
0006449767.tif 000043
【図４５】
0006449767.tif 000044
【図４６】
0006449767.tif 000045
【図４７】
0006449767.tif 000046
【図４８】
0006449767.tif 000047
【図４９】
0006449767.tif 000048
【図５０】
0006449767.tif 000049
【図５１】
0006449767.tif 000050
【図５２】
0006449767.tif 000051
【図５３】
0006449767.tif 000052
【図５４】
0006449767.tif 000053
【図５５】
0006449767.tif 000054
【図５６】
0006449767.tif 000055
【図５７】
0006449767.tif 000056
【図５８】
0006449767.tif 000057
【図５９】
0006449767.tif 000058
【図６０】
0006449767.tif 000059
【図６１】
0006449767.tif 000060
【図６２】
0006449767.tif 000061
【図６３】
0006449767.tif 000062
【図６４】
0006449767.tif 000063
【図６５】
0006449767.tif 000064
【図６６】
0006449767.tif 000065
【図６７】
0006449767.tif 000066
【図６８】
0006449767.tif 000067
【図６９】
0006449767.tif 000068
【図７０】
0006449767.tif 000069
【図７１】
0006449767.tif 000070
【図７２】
0006449767.tif 000071
【図７３】
0006449767.tif 000072
【図７４】
0006449767.tif 000073
【図７５】
0006449767.tif 000074
【図７６】
0006449767.tif 000075
【図７７】
0006449767.tif 000076
【図７８】
0006449767.tif 000077
【図７９】
0006449767.tif 000078
【図８０】
0006449767.tif 000079
【図８１】
0006449767.tif 000080
【図８２】
0006449767.tif 000081
【図８３】
0006449767.tif 000082
【図８４】
0006449767.tif 000083
【図８５】
0006449767.tif 000084
【図８６】
0006449767.tif 000085
【図８７】
0006449767.tif 000086
【図８８】
0006449767.tif 000087
【図８９】
0006449767.tif 000088
【図９０】
0006449767.tif 000089
【図９１】
0006449767.tif 000090
【図９２】
0006449767.tif 000091
【図９３】
0006449767.tif 000092
【図９４】
0006449767.tif 000093
【図９５】
0006449767.tif 000094
【図９６】
0006449767.tif 000095
【図９７】
0006449767.tif 000096
【図９８】
0006449767.tif 000097
【図９９】
0006449767.tif 000098
【図１００】
0006449767.tif 000099
【図１０１】
0006449767.tif 000100
【図１０２】
0006449767.tif 000101
【図１０３】
0006449767.tif 000102
【図１０４】
0006449767.tif 000103
【図１０５】
0006449767.tif 000104
【図１０６】
0006449767.tif 000105
【図１０７】
0006449767.tif 000106
【図１０８】
0006449767.tif 000107
【図１０９】
0006449767.tif 000108
【図１１０】
0006449767.tif 000109
【図１１１】
0006449767.tif 000110
【図１１２】
0006449767.tif 000111
【図１１３】
0006449767.tif 000112
【図１１４】
0006449767.tif 000113
【図１１５】
0006449767.tif 000114
【図１１６】
0006449767.tif 000115
【図１１７】
0006449767.tif 000116
【図１１８】
0006449767.tif 000117
【図１１９】
0006449767.tif 000118
【図１２０】
0006449767.tif 000119
【図１２１】
0006449767.tif 000120
【図１２２】
0006449767.tif 000121
【図１２３】
0006449767.tif 000122
【図１２４】
0006449767.tif 000123
【図１２５】
0006449767.tif 000124
【図１２６】
0006449767.tif 000125
【図１２７】
0006449767.tif 000126
【図１２８】
0006449767.tif 000127
【図１２９】
0006449767.tif 000128
【図１３０】
0006449767.tif 000129
【図１３１】
0006449767.tif 000130
【図１３２】
0006449767.tif 000131
【図１３３】
0006449767.tif 000132
【図１３４】
0006449767.tif 000133
【図１３５】
0006449767.tif 000134
【図１３６】
0006449767.tif 000135
【図１３７】
0006449767.tif 000136
【図１３８】
0006449767.tif 000137
【図１３９】
0006449767.tif 000138
【図１４０】
0006449767.tif 000139
【図１４１】
0006449767.tif 000140
【図１４２】
0006449767.tif 000141
【図１４３】
0006449767.tif 000142
【図１４４】
0006449767.tif 000143
【図１４５】
0006449767.tif 000144
【図１４６】
0006449767.tif 000145
【図１４７】
0006449767.tif 000146
【図１４８−１４９】
0006449767.tif 000147
【図１５０】
0006449767.tif 000148
【図１５１】
0006449767.tif 000149
【図１５２】
0006449767.tif 000150
【図１５３】
0006449767.tif 000151
【図１５４】
0006449767.tif 000152
【図１５５】
0006449767.tif 000153
【図１５６】
0006449767.tif 000154
【図１５７】
0006449767.tif 000155
【図１５８】
0006449767.tif 000156
【図１５９】
0006449767.tif 000157
【図１６０】
0006449767.tif 000158
【図１６１】
0006449767.tif 000159
【図１６２】
0006449767.tif 000160
【図１６３】
0006449767.tif 000161
【図１６４】
0006449767.tif 000162
【図１６５】
0006449767.tif 000163
【図１６６】
0006449767.tif 000164
【図１６７】
0006449767.tif 000165
【図１６８】
0006449767.tif 000166
【図１６９】
0006449767.tif 000167
【図１７０】
0006449767.tif 000168
【図１７１】
0006449767.tif 000169
【図１７２】
0006449767.tif 000170
【図１７３】
0006449767.tif 000171
【図１７４】
0006449767.tif 000172
【図１７５】
0006449767.tif 000173
【図１７６】
0006449767.tif 000174
【図１７７】
0006449767.tif 000175